(57)【要約】【課題】構成を簡略化できるディスク装置を提供すること。【解決手段】筐体（下部フレーム）２２Ａと、ディスクを回転させる回転手段（回転装置）５２と、ディスクに対する情報の読取／記録を行う情報読取／記録手段（ピックアップ）５５と、回転手段５２及び情報読取／記録手段５５を保持する保持部材（支持部材５１及びホルダー５６）と、ディスクに対する近接及び離間の少なくともいずれかの方向に保持部材を移動させる移動手段（昇降装置）８とを備え、移動手段８は、保持部材の少なくとも一部を囲む円弧状に形成され、当該円弧状の中心を回動軸として、保持部材に沿って回動自在に設けられる第１カム部材（第２スライドカム）８２を備え、第１カム部材８２は、回動軸に沿う方向に対して傾斜する溝部を有し、保持部材は、溝部と係合する第１係合部（突起部）５６１１を有する。【選択図】図８
2010267316.tif 000002
【特許請求の範囲】
【請求項１】
筐体と、
前記筐体内のディスクと係合し、当該ディスクの軸方向を中心として前記ディスクを回転させる回転手段と、
前記ディスクに対する情報の読取及び記録の少なくともいずれかを行う情報読取／記録手段と、
前記回転手段及び前記情報読取／記録手段のうち少なくとも一方を保持する保持部材と、
前記ディスクに近接する方向及び当該ディスクから離間する方向の少なくともいずれかの方向に前記保持部材を移動させる移動手段とを備え、
前記移動手段は、前記保持部材の少なくとも一部を囲む円弧状に形成され、当該円弧状の中心を回動軸として、当該保持部材に沿って回動自在に設けられる第１カム部材を備え、
前記保持部材及び前記第１カム部材のうち、
一方は、前記回動軸に沿う方向に対して傾斜する溝部を有し、
他方は、前記溝部と係合する第１係合部を有することを特徴とするディスク装置。
【請求項２】
請求項１に記載のディスク装置において、
前記保持部材は、
前記第１カム部材の回動方向に沿う基部と、
前記基部の両端からそれぞれ延出し、前記保持部材を挟む一対の延出部とを有し、
前記一対の延出部のうち少なくともいずれかは、当該延出部の前記基部からの延出方向及び前記回動軸のそれぞれに略直交する方向に延出し、かつ、前記筐体に軸支される軸部を有し、
前記第１カム部材は、前記筐体に沿って回動し、
前記基部は、前記溝部及び前記第１係合部のいずれかを有することを特徴とするディスク装置。
【請求項３】
請求項１又は請求項２に記載のディスク装置において、
前記筐体は、当該筐体内外に前記ディスクを挿抜するための挿抜口を有し、
前記保持部材は、少なくとも前記回転手段を保持し、
前記第１カム部材は、前記挿抜口と前記回転手段との間に配置されることを特徴とするディスク装置。
【請求項４】
請求項３に記載のディスク装置において、
前記挿抜口と前記第１カム部材との間に配置され、前記第１カム部材の回動に伴って前記挿抜口を閉塞する閉塞部材を備えることを特徴とするディスク装置。
【請求項５】
請求項１から請求項４のいずれかに記載のディスク装置において、
前記筐体に形成され、かつ、当該筐体内外に前記ディスクを挿抜するための挿抜口と、
前記挿抜口に挿入された前記ディスクを、当該ディスクの直径方向に沿って前記筐体内に搬入する搬入手段とを有し、
前記第１カム部材は、前記搬入手段により前記ディスクが所定の搬入位置に搬入されると、前記回動軸を中心として回動されることを特徴とするディスク装置。
【請求項６】
請求項５に記載のディスク装置において、
駆動力を発生させる駆動手段と、
前記駆動力を伝達する伝達手段とを備え、
前記伝達手段は、前記駆動力により回転する第１ギアを備え、
前記移動手段は、前記第１カム部材より小さく、かつ、当該第１カム部材に沿って摺動する第２カム部材を備え、
前記搬入手段は、前記ディスクが前記搬入位置に搬入されると、前記第２カム部材を押圧して摺動させる押圧部を有し、
前記第２カム部材は、
前記押圧部により押圧されると、前記第１ギアに噛合する噛合部と、
前記噛合部が前記第１ギアに噛合して、当該第１ギアの回転により前記第２カム部材が摺動すると、前記第１カム部材に当接して当該第１カム部材を回動させる当接部とを有することを特徴とするディスク装置。
【請求項７】
請求項６に記載のディスク装置において、
前記搬入手段は、前記搬入位置近傍に搬入された前記ディスクの端縁に当接して回動する第１レバーを有し、
前記第１レバーは、前記押圧部を有することを特徴とするディスク装置。
【請求項８】
請求項６又は請求項７に記載のディスク装置において、
前記搬入手段は、前記挿抜口の略中央を通り、かつ、前記ディスクの搬入方向に沿う仮想の直線を中心として略対称に配置され、前記挿抜口の両端近傍に配置される一端を中心として他端が互いに近接及び離間する方向に回動する一対の第１アームを備え、
前記各第１アームは、前記ディスクの端縁を把持する把持部材をそれぞれ備え、
前記各把持部材のうち少なくともいずれかは、前記伝達手段を介して伝達される駆動力により回転するローラーであることを特徴とするディスク装置。
【請求項９】
請求項８に記載のディスク装置において、
前記伝達手段は、
前記第１ギアに噛合して、当該第１ギアの回転を前記ローラーに伝達する第２ギアと、
前記第２ギアを軸支し、かつ、前記第１カム部材と係合して回動する第２アームとを備え、
前記第２アームは、前記第１カム部材の回動に伴って、前記第２ギアを前記第１ギアから離間させることを特徴とするディスク装置。
【請求項１０】
請求項８又は請求項９に記載のディスク装置において、
前記第１カム部材は、当該第１カム部材の回動により、前記各第１アームに係合して、前記把持部材が前記ディスクの端縁から離間する方向に当該各第１アームを回動させる第２係合部を有することを特徴とするディスク装置。
【請求項１１】
請求項１から請求項１０のいずれかに記載のディスク装置において、
前記回転手段とともに、前記ディスクを挟持する挟持部材と、
前記挟持部材を支持する第３アームとを備え、
前記第１カム部材は、当該第１カム部材の回動により、前記第３アームと係合して、前記挟持部材が前記ディスクと係合可能に当該挟持部材から離間させる方向に前記第３アームを回動させる第３係合部を有することを特徴とするディスク装置。
【発明の詳細な説明】
【技術分野】
【０００１】
本発明は、ディスク装置に関する。
【背景技術】
【０００２】
従来、ＣＤ（Compact Disc）、ＤＶＤ（Digital Versatile Disc）及びＢＤ（BLU-RAY DISC：登録商標）等のディスクに対して情報の読取及び記録を行うディスク装置が知られている。このようなディスク装置として、ディスク収納用の開口部に挿入されたディスクを搬送するアームを備えたスロットイン型のディスク装置が知られている（例えば、特許文献１参照）。
【０００３】
この特許文献１に記載のディスク装置では、ディスクが挿抜される開口部の両端近傍に回動軸を有する一対のフロントアームが配置され、当該一対のフロントアームは、一対のリンクアームにより、同期して回動する構成となっている。そして、開口部から挿入されたディスクを各アームのローラーが把持すると、当該各ローラーの回転により、各フロントアームが開口部から離間する方向に回動しつつ、ディスクを装置内部に搬入する。このようにして搬入されたディスクは、サポートアーム及び検知アームによりセンタリングされ、チャッキング位置に配置される。検知アームが回動されると、当該検知アームに係合し、かつ、光学ユニットを挟むように配置された一対のスライドカムが、ディスクの搬入方向に沿って互いに反対方向にスライドする。これらスライドカムのスライドにより、光学ユニットが上昇され、当該光学ユニットのターンテーブルと、チャックプーリーとによりディスクがチャッキングされる。
【先行技術文献】
【特許文献】
【０００４】
【特許文献１】特開２００７−３３５０６５号公報
【発明の概要】
【発明が解決しようとする課題】
【０００５】
しかしながら、前述の特許文献１に記載のディスク装置では、光学ユニットを昇降させる一対のスライドカムのほか、各スライドカムのスライドを同期させるリンク部材が必要になり、部品点数が多く、ディスク装置の構成が複雑であるという問題がある。
【０００６】
本発明の目的は、構成を簡略化できるディスク装置を提供することである。
【課題を解決するための手段】
【０００７】
前記した目的を達成するために、本発明のディスク装置は、筐体と、前記筐体内のディスクと係合し、当該ディスクの軸方向を中心として前記ディスクを回転させる回転手段と、前記ディスクに対する情報の読取及び記録の少なくともいずれかを行う情報読取／記録手段と、前記回転手段及び前記情報読取／記録手段のうち少なくとも一方を保持する保持部材と、前記ディスクに近接する方向及び当該ディスクから離間する方向の少なくともいずれかの方向に前記保持部材を移動させる移動手段とを備え、前記移動手段は、前記保持部材の少なくとも一部を囲む円弧状に形成され、当該円弧状の中心を回動軸として、当該保持部材に沿って回動自在に設けられる第１カム部材を備え、前記保持部材及び前記第１カム部材のうち、一方は、前記回動軸に沿う方向に対して傾斜する溝部を有し、他方は、前記溝部と係合する第１係合部を有することを特徴とする。
【０００８】
なお、回転手段としては、ディスクの中央に形成された孔部と係合し、当該ディスクを回転させるターンテーブルを例示することができる。また、情報読取／記録手段としては、ディスクにレーザー光等の光を照射して、当該ディスクに情報を記録し、或いは、ディスクからの反射光に基づいて、当該ディスクに記録された情報を読み取るピックアップを例示することができる。
更に、溝部は、回動軸に沿う方向に対して傾斜して形成されており、換言すると、第１係合部の移動範囲の一端から他端に向かうに従って、ディスクに対して近接或いは離間するように連続して傾斜している。更に換言すると、溝部は、ディスクの一方の面に対して傾斜する直線に沿うように形成されている。
【０００９】
本発明によれば、保持部材及び第１カム部材の一方が有する溝部は、第１カム部材の回動方向、及び、当該第１カム部材の回動軸に沿う方向のそれぞれに対して傾斜している。そして、第１係合部は、第１カム部材が回動することにより、溝部に沿って当該第１カム部材の回動軸に沿って移動する。これによれば、第１カム部材に対して保持部材を相対的に移動させることができるので、前述の特許文献１に記載の構成に比べて、保持部材の移動に必要な構成を少なくすることができる。従って、ディスク装置の構成を簡略化することができる。
【００１０】
本発明では、前記保持部材は、前記第１カム部材の回動方向に沿う基部と、前記基部の両端からそれぞれ延出し、前記保持部材を挟む一対の延出部とを有し、前記一対の延出部のうち少なくともいずれかは、当該延出部の前記基部からの延出方向及び前記回動軸のそれぞれに略直交する方向に延出し、かつ、前記筐体に軸支される軸部を有し、前記第１カム部材は、前記筐体に沿って回動し、前記基部は、前記溝部及び前記第１係合部のいずれかを有することが好ましい。
【００１１】
本発明によれば、保持部材は、軸部を中心として回動自在に筐体に軸支されるので、第１カム部材の回動軸を中心とする保持部材の回動は規制される。この保持部材の基部は、前述の溝部又は第１係合部を有し、当該第１カム部材が筐体に沿って回動することで、保持部材が軸部を中心として回動し、当該保持部材における基部側の端部が、第１カム部材の回動軸に沿って移動する。これによれば、保持部材全体を囲む形状に第１カム部材を形成することなく、当該端部を移動させることができる。従って、第１カム部材の小型化を図ることができ、ひいては、ディスク装置の小型化を図ることができる。
【００１２】
本発明では、前記筐体は、当該筐体内外に前記ディスクを挿抜するための挿抜口を有し、前記保持部材は、少なくとも前記回転手段を保持し、前記第１カム部材は、前記挿抜口と前記回転手段との間に配置されることが好ましい。
【００１３】
ここで、回転手段は、挿抜口を介して筐体内に収納されたディスクを回転するので、当該回転手段は、少なくともディスクの半径に応じた寸法だけ挿抜口から離れて配置され、情報読取／記録手段は、当該回転手段の近傍に配置される。一方、挿抜口に挿入されたディスクを筐体内に搬入する搬入手段を設ける場合、当該搬入手段は挿抜口と回転手段との間に配置されるので、ディスクの直径方向に沿って移動する必要がある情報読取／記録手段は、回転手段に対して挿抜口とは反対側に配置される。このため、回転手段に対して挿抜口とは反対側に第１カム部材を配置すると、挿抜口から回転手段に向かう方向（ディスクの搬入方向）の筐体の寸法が大きくなり、ディスク装置の大型化を招く。
これに対し、本発明では、挿抜口と回転手段との間に第１カム部材が配置することで、情報読取／記録手段や、必要に応じて設けられた搬入手段の配置を妨げることなく、筐体内のスペースを有効に活用することができる。従って、ディスク装置の小型化を図ることができる。
【００１４】
本発明では、前記挿抜口と前記第１カム部材との間に配置され、前記第１カム部材の回動に伴って前記挿抜口を閉塞する閉塞部材を備えることが好ましい。
本発明によれば、第１カム部材の回動に伴って、閉塞部材により挿抜口が閉塞されるので、当該挿抜口に他のディスクが挿入されることを防ぐことができる。従って、第１カム部材の回動により移動した回転手段と、他のディスクとが係合することを防止できる。
【００１５】
本発明では、前記筐体に形成され、かつ、当該筐体内外に前記ディスクを挿抜するための挿抜口と、前記挿抜口に挿入された前記ディスクを、当該ディスクの直径方向に沿って前記筐体内に搬入する搬入手段とを有し、前記第１カム部材は、前記搬入手段により前記ディスクが所定の搬入位置に搬入されると、前記回動軸を中心として回動されることが好ましい。
なお、搬入位置としては、回転手段がディスクと係合可能な位置とすることができ、例えば、回転手段がターンテーブルである場合には、当該ターンテーブルがディスクの中央に形成された孔部と係合する位置とすることができる。
【００１６】
ここで、ディスクの回転及び読取／記録動作は、ディスクが搬入された後に行われるものであるため、当該ディスクが搬入されていない状態では、保持部材の移動を行う必要がない。一方、当該回転及び読取／記録動作は、ディスクが搬入された後、迅速に行われることが好ましい。これに対し、本発明では、搬入手段により搬入位置にディスクが搬入されると、第１カム部材の回動が開始されるので、迅速に保持部材を移動させることができる。従って、ディスクの回転及び読取／記録動作を迅速に行うことができる。
【００１７】
本発明では、駆動力を発生させる駆動手段と、前記駆動力を伝達する伝達手段とを備え、前記伝達手段は、前記駆動力により回転する第１ギアを備え、前記移動手段は、前記第１カム部材より小さく、かつ、当該第１カム部材に沿って摺動する第２カム部材を備え、前記搬入手段は、前記ディスクが前記搬入位置に搬入されると、前記第２カム部材を押圧して摺動させる押圧部を有し、前記第２カム部材は、前記押圧部により押圧されると、前記第１ギアに噛合する噛合部と、前記噛合部が前記第１ギアに噛合して、当該第１ギアの回転により前記第２カム部材が摺動すると、前記第１カム部材に当接して当該第１カム部材を回動させる当接部とを有することが好ましい。
【００１８】
本発明によれば、ディスクが搬入位置に搬入されると、第２カム部材は、押圧部により押圧されて摺動して、噛合部が第１ギアと噛合する。そして、当該第１ギアの回転により、第２カム部材は更に摺動して、当接部が第１カム部材を回動させる。これによれば、第１ギアの回転力、すなわち、駆動手段により生じた駆動力により、第１カム部材を回動させることができるので、当該第１カム部材の回動及び保持部材の移動に要する力を確保することができる。
また、搬入手段が第１カム部材より小さな第２カム部材を摺動させることにより、当該第２カム部材の噛合部と第１ギアとが噛合して、第１カム部材は第２カム部材により回動される。これによれば、第１カム部材が噛合部を有し、搬入手段が第１カム部材を摺動させることで、当該噛合部と第１ギアとが噛合する構成に比べ、当該搬入手段が移動手段に作用させる力、すなわち、保持部材の移動開始時の契機となる力を低減できる。
従って、第１カム部材の回動、及び、保持部材の移動を確実に行うことができる。
【００１９】
本発明では、前記搬入手段は、前記搬入位置近傍に搬入された前記ディスクの端縁に当接して回動する第１レバーを有し、前記第１レバーは、前記押圧部を有することが好ましい。
本発明によれば、第１レバーは、搬入位置近傍に搬入されたディスクの端縁に当接することで回動し、第２カム部材を摺動させる。これによれば、ディスクの搬入位置への搬入に応じて、第２カム部材、ひいては、第１カム部材を確実に回動させることができる。従って、ディスクの搬入と、回転手段の移動とを確実に同期させることができる。
【００２０】
本発明では、前記搬入手段は、前記挿抜口の略中央を通り、かつ、前記ディスクの搬入方向に沿う仮想の直線を中心として略対称に配置され、前記挿抜口の両端近傍に配置される一端を中心として他端が互いに近接及び離間する方向に回動する一対の第１アームを備え、前記各第１アームは、前記ディスクの端縁を把持する把持部材をそれぞれ備え、前記各把持部材のうち少なくともいずれかは、前記伝達手段を介して伝達される駆動力により回転するローラーであることが好ましい。
【００２１】
本発明によれば、挿抜口に挿入されたディスクは、各第１アームの把持部材により把持され、当該把持部材の少なくともいずれかであるローラーの回転とともに、各第１アームが回動することで、当該ディスクは搬入される。これによれば、一対の第１アームにより挟持された状態でディスクが搬入されるので、当該ディスクをセンタリングしつつ、筐体内に搬入することができる。
また、当該ローラーは、駆動手段により発生し、かつ、伝達手段により伝達される駆動力により回転する。これによれば、１つの駆動手段で生じた駆動力により、第１カム部材の回動及び搬入手段によるディスクの搬入をそれぞれ行うことができる。従って、第１カム部材を回動させる駆動力、及び、ディスクの搬入に要する駆動力を発生する駆動手段をそれぞれ設ける場合に比べ、ディスク装置の構成を簡略化することができる。
【００２２】
本発明では、前記伝達手段は、前記第１ギアに噛合して、当該第１ギアの回転を前記ローラーに伝達する第２ギアと、前記第２ギアを軸支し、かつ、前記第１カム部材と係合して回動する第２アームとを備え、前記第２アームは、前記第１カム部材の回動に伴って、前記第２ギアを前記第１ギアから離間させることが好ましい。
本発明によれば、第１カム部材の回動時に、当該第１カム部材と係合する第２アームにより、駆動力をローラーに伝達する第２ギアが第１ギアから離間する。これによれば、ディスクが搬入位置に搬入された際に開始される第１カム部材の回動に応じて、当該搬入位置にディスクを搬入したローラーの回転が停止されるので、第１カム部材の回動に必要な駆動力を確保することができる。従って、第１カム部材を確実に回動させることができ、ひいては、保持部材を確実に移動させることができる。
【００２３】
本発明では、前記第１カム部材は、当該第１カム部材の回動により、前記各第１アームに係合して、前記把持部材が前記ディスクの端縁から離間する方向に当該各第１アームを回動させる第２係合部を有することが好ましい。
本発明によれば、第１カム部材の回動に伴って、搬入位置に搬入されたディスクから、各第１アームが離間する。これによれば、回転手段によりディスクが回転する際に、各第１アームが当該ディスクの回転を妨げることを防止できる。従って、ディスクを適切かつ確実に回転させることができる。
【００２４】
本発明では、前記回転手段とともに、前記ディスクを挟持する挟持部材と、前記挟持部材を支持する第３アームとを備え、前記第１カム部材は、当該第１カム部材の回動により、前記第３アームと係合して、前記挟持部材が前記ディスクと係合可能に当該挟持部材から離間させる方向に前記第３アームを回動させる第３係合部を有することが好ましい。
なお、挟持部材としては、回転手段がターンテーブルで構成されている場合には、当該ターンテーブルと磁力により引き合うことで、ターンテーブルとともにディスクを挟持する部材を例示することができる。
【００２５】
本発明によれば、第１カム部材が回動していない状態では、挟持部材は第３アームにより支持されているので、ディスクの搬入が挟持部材により妨げられることを防止できる。また、第１カム部材が回動する際には、第３アームが挟持部材から離間するので、当該挟持部材と回転手段とにより、ディスクを確実に挟持することができる。従って、第１カム部材が回動される際、例えば、ディスクが前述の搬入位置に搬入された際に、回転手段及び挟持部材によるディスクの挟持を行うことができる。
【発明の効果】
【００２６】
本発明によれば、回転手段及び情報読取／記録手段の少なくとも一方を保持する保持部材の移動に必要な部品点数を削減できるので、ディスク装置の構成を簡略化できる。
【図面の簡単な説明】
【００２７】
【図１】本発明の第１実施形態に係るディスク装置の外観を示す斜視図。
【図２】前記実施形態における装置本体を示す右側面図。
【図３】前記実施形態におけるロアーケースを示す図。
【図４】前記実施形態における装置本体を示す上面図。
【図５】前記実施形態における上部ユニットを示す下面図。
【図６】前記実施形態における上部ユニットを示す下面図。
【図７】前記実施形態における下部ユニットを示す上面図。
【図８】前記実施形態における下部ユニットを示す下面図。
【図９】前記実施形態における下部ユニットを示す図。
【図１０】前記実施形態における昇降装置を示す斜視図。
【図１１】前記実施形態における昇降装置を示す斜視図。
【図１２】前記実施形態における第１スライドカムを示す上面図。
【図１３】前記実施形態における第１スライドカムを示す下面図。
【図１４】前記実施形態における第２スライドカムを示す上面図。
【図１５】前記実施形態における第２スライドカムを示す下面図。
【図１６】前記実施形態における第１ディスクの搬入時の動作を示す図。
【図１７】前記実施形態における第１ディスクの搬入時の動作を示す図。
【図１８】前記実施形態における第１ディスクの搬入時の動作を示す図。
【図１９】前記実施形態における第１ディスクの搬入時の動作を示す図。
【図２０】前記実施形態における第１ディスクの搬入時の動作を示す図。
【図２１】前記実施形態における第１ディスクの搬入時の動作を示す図。
【図２２】前記実施形態における第１ディスクの搬入時の動作を示す図。
【図２３】前記実施形態における第１ディスクの搬入時の動作を示す図。
【図２４】前記実施形態における第１ディスクの搬入時の動作を示す図。
【図２５】前記実施形態における第２ディスクの搬入時の動作を示す図。
【図２６】前記実施形態における第２ディスクの搬入時の動作を示す図。
【図２７】前記実施形態における第２ディスクの搬入時の動作を示す図。
【図２８】前記実施形態における第２ディスクの搬入時の動作を示す図。
【図２９】前記実施形態における第２ディスクの搬入時の動作を示す図。
【図３０】前記実施形態における第２ディスクの搬入時の動作を示す図。
【図３１】前記実施形態における第２ディスクの搬入時の動作を示す図。
【図３２】前記実施形態における第２ディスクの搬入時の動作を示す図。
【図３３】前記実施形態における第２ディスクの搬入時の動作を示す図。
【図３４】本発明の第２実施形態に係るディスク装置のリンクアーム及びチャックアームを示す図。
【図３５】前記実施形態における第１ディスクの搬入時の動作を示す図。
【発明を実施するための形態】
【００２８】
〔１．第１実施形態〕
以下、本発明の第１実施形態を図面に基づいて説明する。
図１は、本実施形態に係るディスク装置１の外観を示す斜視図である。なお、以下の図及び説明においてＸ方向は、ディスク装置１を水平面上に載置した状態で、ディスクを挿抜する挿抜口２Ａに正対した際の左方向を示す。また、Ｙ方向は当該状態で上方向を示し、Ｚ方向は、Ｘ方向及びＹ方向にそれぞれ直交し、かつ、ディスク装置１内にディスクが搬入される方向を示す。
本実施形態に係るディスク装置１は、スロットイン型のディスク装置として構成され、内部に搬入されたディスクに対して情報の読取及び記録を行うものである。このようなディスク装置１は、図１に示すように、装置本体２と、当該装置本体２を覆うシールド部材１１，１２とを備えている。
【００２９】
〔シールド部材の構成〕
シールド部材１１は、装置本体２の上面、左右の両側面及び背面を覆い、シールド部材１２は、装置本体２の正面側（挿抜口２Ａが形成される側）を覆う。これらシールド部材１１，１２は板金を折曲加工することにより形成されている。
このうち、シールド部材１２には、装置本体２の挿抜口２Ａに対して挿抜されるディスクのうち、直径１２ｃｍのディスク（第１ディスク）Ｄ１（図１６）の寸法に応じた開口部（図示省略）が形成されている。この開口部に応じた位置には、ディスクを挿抜するための切込を有する布カーテン１２１が貼付される。この布カーテン１２１は、フェルト等により形成することができる。
【００３０】
〔装置本体の構成〕
図２は、装置本体２を示す右側面図である。
装置本体２は、図２に示すように、装置本体２の上部及び下部を構成する上部ユニット２１及び下部ユニット２２を備える。これら各ユニット２１，２２は、Ｚ方向に長い平面視略矩形状の合成樹脂製の上部フレーム２１Ａ及び下部フレーム２２Ａを備え、当該上部フレーム２１Ａ及び下部フレーム２２Ａと、当該下部フレーム２２Ａの底面に取り付けられるロアーケース２５とにより、装置本体２の外形となる筐体２４が構成される。
上部フレーム２１Ａは下部フレーム２２Ａにねじ固定される。これら上部フレーム２１Ａ及び下部フレーム２２Ａは、Ｚ方向基端側にそれぞれ凹部２１Ａ１（図５），２２Ａ１（図７）を有し、当該各筐体２１Ａ，２２Ａが組み合わさることで、これら凹部２１Ａ１，２２Ａ１により、装置本体２にディスクを挿抜するための挿抜口２Ａが形成される。
【００３１】
図３は、ディスク装置１を構成するロアーケース２５を下方から見た図である。
ロアーケース２５は、図３に示すように、Ｚ方向に長い略矩形状の金属製部材であり、下部フレーム２２Ａの底面にねじ固定される。このロアーケース２５は、Ｚ方向基端側の端部近傍（挿抜口２Ａに近い端部近傍）に、略円形状の挿通孔２５１を有する。この挿通孔２５１は、後述するウォームホイール７３の十字溝７３３（図８）に応じた位置に形成されたイマージェンシーイジェクト用の孔である。この挿通孔２５１にドライバー等の治具（図示省略）を挿通させて十字溝７３３に係合させ、当該ウォームホイール７３を回転させることで、後述する搬送装置３が駆動されて、ディスクが排出される。
【００３２】
〔上部ユニットの構成〕
図４は、装置本体２を示す上面図である。
上部ユニット２１は、前述の上部フレーム２１Ａのほか、図４に示すように、ディスクを搬送する搬送装置３と、搬入されたディスクをチャッキング位置にてチャッキングするチャック装置４と備え、これら搬送装置３及びチャック装置４は、上部フレーム２１Ａに取り付けられている。この上部フレーム２１Ａには、複数の溝部が形成され、当該各溝部は、搬送装置３及びチャック装置４を構成する各アームの回動を案内するほか、当該各アームの回動範囲を規定する。更に、上部フレーム２１Ａには、略中央に平面視略円形状の開口部２１１が形成され、当該開口部２１１の形成位置に応じて、チャック装置４を構成するチャックプーリー４３が配置される。
【００３３】
〔搬送装置の構成〕
図５及び図６は、上部ユニット２１を示す上面図及び下面図である。なお、図６では、上部フレーム２１Ａの図示を省略している。
搬送装置３は、本発明の搬入手段に相当し、下部ユニット２２を構成する駆動装置７（図８）で生じる駆動力により、挿抜口２Ａに挿入されたディスクをチャッキング位置（搬入位置）に搬入するほか、装置本体２内部に収納されたディスクを搬出する。この搬送装置３は、図４〜図６に示すように、挿抜口２Ａの両端近傍に軸支された一対のフロントアーム３１，３２と、一対のフロントアーム３１，３２の回動を同期させる一対のリンクアーム３３，３４と、検知レバー３５とを備える。
【００３４】
〔フロントアームの構成〕
フロントアーム３１，３２は、本発明の第１アームに相当し、上部フレーム２１Ａの上面部２１Ｕにそれぞれ軸支され、当該各アーム３１，３２は、それぞれ挿抜口２Ａの左右（Ｘ方向先端側及び基端側）に配置されている。すなわち、各フロントアーム３１，３２は、挿抜口２Ａの中央を通り、かつ、ディスクの搬入方向（Ｚ方向）に沿う仮想の直線Ｌを中心として対称配置され、挿抜口２Ａ側の端部が、当該挿抜口２Ａの両端近傍に軸支されている。
これらのうち、フロントアーム３１は、平板状のアーム本体３１１、把持部材３１２，３１３、アイドラー３１４、３つのギア３１５〜３１７及び付勢部材としての捻りコイルばね３１８を備える。
【００３５】
アーム本体３１１は、平面視略三角形状を有する。このアーム本体３１１は、最大角部分（鈍角部分）を挟む２辺のうち、一辺が挿抜口２Ａに沿い、かつ、当該一辺を挟む２つの端部のうち、最大角部分でない方の端部が挿抜口２Ａの左側端縁近傍に軸支される。このため、アーム本体３１１における最大角部分は、挿抜口２Ａの中央寄りの位置に配置される。このようなアーム本体３１１は、当該アーム本体３１１の回動軸ＲＡ１側の端部に取り付けられた捻りコイルばね３１８により、挿抜口２Ａに近接する方向に付勢されている。
アーム本体３１１のＺ方向先端側の端部には、鉤状に突出して、リンクアーム３３の溝部３３２に挿通される突起部３１１１が上面側に形成されている。
【００３６】
把持部材３１２，３１３は、ゴムにより略円筒状に形成され、図５及び図６に示すように、アーム本体３１１における下面側（下部フレーム２２Ａに対向する側）にそれぞれ軸支されている。詳述すると、把持部材３１２は、アーム本体３１１における斜辺上の略中央に軸支され、また、把持部材３１３は、アーム本体３１１におけるＺ方向先端側の端部近傍に軸支されている。これら各把持部材３１２，３１３は、後述するモーター７１の駆動力が伝達されて回転し、ディスクの端縁を把持して、当該ディスクを搬送するローラーである。
【００３７】
アイドラー３１４及びギア３１５〜３１７は、それぞれアーム本体３１１に軸支され、後述する駆動装置７のギアシャフト７６（図７）から伝達される駆動力（回転力）を、把持部材３１２，３１３に伝達する。
アイドラー３１４は、挿抜口２Ａに最も近い位置に配置され、フロントアーム３１の回動軸ＲＡ１と同軸上に回転軸を有する。このアイドラー３１４は、ギアシャフト７６と噛合して、当該ギアシャフト７６の回転によりギア３１５を回転させる。
【００３８】
ギア３１５〜３１７は、それぞれ略同じ直径を有し、また、同数の歯を有する。
ギア３１５は、ギア３１６及び把持部材３１２に噛合して、アイドラー３１４の回転に応じてこれらを回転させる。
ギア３１６は、ギア３１７と噛合しており、ギア３１７は、把持部材３１３と噛合している。このため、ギア３１５とギア３１７とは、同方向に同じ回転速度で回転し、これにより、各把持部材３１２，３１３は、同方向に同じ回転速度で回転する。
【００３９】
フロントアーム３２は、平板状のアーム本体３２１、把持部材３２２，３２３及び付勢部材としての捻りコイルばね３２４を備える。
アーム本体３２１は、アーム本体３１１と略鏡像対称構造を有し、当該アーム本体３１１とは反対側、すなわち、挿抜口２Ａの右側に軸支される。詳述すると、アーム本体３２１は、平面視略三角形状を有し、最大角部分（鈍角部分）を挟む２辺のうち、一辺が挿抜口２Ａに沿い、かつ、当該一辺を挟む２つの端部のうち、最大角部分でない方の端部が挿抜口２Ａの右側端縁近傍に軸支される。そして、当該アーム本体３２１は、回動軸となる端部に取り付けられた捻りコイルばね３２４により、当該最大角部分が挿抜口２Ａに近接する方向に付勢されている。なお、この捻りコイルばね３２４の付勢力は、捻りコイルばね３１８の付勢力より大きく、各フロントアーム３１，３２のがた付きを抑制している。
【００４０】
アーム本体３２１は、Ｚ方向先端側の端部に、鉤状に突出し、かつ、リンクアーム３４の溝部３４２に挿通される突起部３２１１を有する。
また、アーム本体３２１は、アーム本体３２１の斜辺部分に、下方に向かって突出し、かつ、それぞれ略円筒状の一対の突起部３２１２，３２１３を有する。これらのうち、アーム本体３２１の回動軸ＲＡ２側に位置する突起部３２１２は、後述する検知アーム６１の開口部６１４（図７及び図８）に挿入され、また、突起部３２１３は、後述する第２スライドカム８２のガイド部８３１又はガイド部８３２（図１１及び図１４）と係合する。
更に、アーム本体３２１の上面における略中央には、突起部３２１４（図４）が形成されている。
【００４１】
把持部材３２２，３２３は、前述のフロントアーム３１の各把持部材３１２，３１３と同様の形状を有し、当該各把持部材３１２，３１３と同様に、アーム本体３２１の斜辺における略中央、及び、Ｚ方向先端側の端部近傍に、それぞれ固定されている。そして、各フロントアーム３１，３２が回動していない状態では、各把持部材３１２，３２２は、挿抜口２Ａから略同じ寸法だけ離れた位置に配置され、また、各把持部材３１３，３２３は、挿抜口２Ａからそれぞれ略同じ分だけ離れた位置に配置されている。換言すると、各把持部材３２２，３２３は、各把持部材３１２，３１３に対して、仮想の直線Ｌを中心として対称位置に配置されている。このような把持部材３２２，３２３は、把持部材３１２，３１３とともに、ディスクの端縁を把持する。
【００４２】
〔リンクアームの構成〕
一対のリンクアーム３３，３４は、各フロントアーム３１，３２の回動を同期させるものであり、それぞれ挿抜口２Ａに向かって左側及び右側に配置されている。すなわち、各リンクアーム３３，３４は、前述の仮想の直線Ｌを中心として、互いに対称配置される。
これらリンクアーム３３，３４は、図４に示すように、それぞれ略同じ寸法を有し略対称な平面視略Ｌ字状に形成され、Ｚ方向先端側の端部が上面部２１Ｕに軸支され、基端側の端部が各アーム３１，３２に係合する。
【００４３】
具体的に、リンクアーム３３，３４のＺ方向先端側の端部は、開口部２１１を挟んで挿抜口２Ａとは反対側の位置に軸支され、互いに交差するように配置される。これらリンクアーム３３，３４の回動軸ＲＡ３，ＲＡ４となる軸支位置は、仮想の直線Ｌを中心として対称配置されている。なお、リンクアーム３４は、回動軸ＲＡ４を有する端部が、挿抜口２Ａに近い端部より低く（上面部２１Ｕから近く）なっている。この構成により、リンクアーム３３との重なり部分の厚みを吸収でき、当該挿抜口２Ａに近い端部は、リンクアーム３３と上面部２１Ｕからの位置が略同じとなり、また、フロントアーム３２の突起部３２１１と上面部２１Ｕからの位置も略同じとなっている。
なお、本実施形態では、回動軸ＲＡ３，ＲＡ４は、仮想の直線Ｌを中心とする対称位置に配置されているが、同じ位置（例えば、当該直線Ｌ上）でもよい。
【００４４】
リンクアーム３３における回動軸ＲＡ３側の端部近傍には、Ｘ方向に沿う略円弧状の溝部３３１が形成され、また、リンクアーム３４における回動軸ＲＡ４側の端部近傍には、略円筒状の突起部３４１が上面側に形成されている。そして、各リンクアーム３３，３４は、溝部３３１に突起部３４１を挿通させるようにして組み合わされる。
【００４５】
この溝部３３１は、各リンクアーム３３，３４の閉状態（ディスクを搬入していない状態）で一方（Ｘ方向先端側）の端部に突起部３４１が位置し、各アーム３３，３４の開状態（ディスクを搬入した状態）で他方（Ｘ方向基端側）の端部に突起部３４１が位置するように形成されている。この閉状態から開状態への遷移においては、突起部３４１は、溝部３３１のＺ方向先端側の端縁に沿って移動する。
【００４６】
このような溝部３３１は、リンクアーム３３側（Ｘ方向先端側）に偏って直径８ｃｍのディスク（第２ディスク）Ｄ２（図２５）が挿抜口２Ａに挿入された際に、各リンクアーム３３，３４の閉状態から開状態への遷移、すなわち、各アーム３３，３４の回動を規制する規制部３３１１を有する。この規制部３３１１は、本実施形態では、閉状態での突起部３４１の場所から、当該溝部３３１の円弧とは異なる方向（Ｚ方向とは反対方向）に向かって延出する切欠として形成されている。そして、詳しくは後述するが、当該規制部３３１１に突起部３４１が嵌まり込むことにより、各アーム３３，３４及びフロントアーム３１，３２の更なる回動が規制され、ディスクＤ２の搬入が規制される。なお、溝部がリンクアーム３４に形成され、突起部がリンクアーム３３に形成されていてもよい。
【００４７】
また、各リンクアーム３３，３４における回動軸ＲＡ３，ＲＡ４側の端部とは反対側の端部には、突起部３１１１，３２１１が挿通する溝部３３２，３４２が形成されている。この溝部３３２，３４２に沿って、突起部３１１１，３２１１が摺動することにより、一方のフロントアームの回動に伴って、各リンクアーム３３，３４が回動し、他方のフロントアームが回動する。これにより、各フロントアーム３１，３２の回動が同期する。
【００４８】
なお、溝部３４２は、挿抜口２Ａにおけるフロントアーム３１側（Ｘ方向先端側）に偏って第２ディスクＤ２が挿入された際に、各アーム３３，３４の閉状態から開状態への遷移を規制する規制部３４２１を有する。この規制部３４２１は、本実施形態では、溝部３４２においてリンクアーム３３側に切り欠かれた切欠として形成されている。そして、詳しくは後述するが、当該規制部３４２１に突起部３２１１が嵌まり込むことにより、各リンクアーム３３，３４の回動、ひいては、フロントアーム３１，３２の更なる回動が規制され、ディスクＤ２の搬入が規制される。
【００４９】
なお、リンクアーム３４における回動軸ＲＡ４側の端部とは反対側の端部には、外側に突出する突出部３４４が形成されている。この突出部３４４は、規制部３４２１に突起部３２１１が嵌まり込んだ際に、突起部３２１４と係合し、当該規制部３４２１とともに、フロントアーム３１，３２及びリンクアーム３３，３４の回動を規制する。
また、リンクアーム３４は、規制部３４３と回動軸ＲＡ４との間の外径側部分（開口部２１１から離れた端縁）に、凹部３４５が形成されている。この凹部３４５は、溝部３３２，３４２に近い各端部が互いに離間するようにリンクアーム３３，３４が回動した際に、当該リンクアーム３３の回動軸ＲＡ３を囲むように配置される。
【００５０】
更に、リンクアーム３４は、当該各アーム３３，３４の閉状態で、後述するチャックアーム４１，４２の回動を規制する回動規制部３４６，３４７を有する。
具体的に本実施形態では、回動規制部３４６は、リンクアーム３４の底面側で、上面部２１Ｕからの高さ位置が変化する部分に、チャックアーム４１に近接する方向に突出する凸部として形成されている。また、回動規制部３４７は、当該リンクアーム３４の略中央における外径側（開口部２１１から離れている側）の端縁近傍に、上面部２２Ｕ側に向かって突出するボスとして形成されている。この回動規制部３４６がチャックアーム４１の後述する規制部４１３に嵌り込み、また、回動規制部３４７にチャックアーム４２の後述する規制部４２３が当接することにより、リンクアーム３４が回動していない状態（ディスクを搬入していない状態）でのチャックアーム４１，４２の回動を規制する。なお、回動規制部３４６，３４７の形状及び配置位置は適宜設定可能であり、当該回動規制部３４６，３４７は、リンクアーム３３に設けられていてもよく、各アーム３３，３４にそれぞれ個別に設けられていてもよい。
【００５１】
更に、各リンクアーム３３，３４の底面側には、図５及び６に示すように、略円筒状の規制部３３３，３４３がそれぞれ形成されている。これら規制部３３３，３４３は、フロントアーム３１，３２により搬入されたディスクの端縁を底面側から支持してチャッキング位置に位置決めし、当該ディスクがチャッキング位置よりＺ方向先端側に移動することを規制する。このような規制部３３３，３４３は、リンクアーム３３，３４がそれぞれ回動した場合でも、前述の仮想の直線Ｌを中心とした対称位置にあり、具体的には、フロントアーム３１，３２及びリンクアーム３３，３４が回動して、搬入されたディスクＤ１，Ｄ２がチャッキング位置に位置した際に、当該各ディスクＤ１，Ｄ２に当接する位置に設けられている。
【００５２】
このような規制部３３３，３４３には、リンクアーム３３，３４からの突出方向先端に、当該突出方向に直交する方向に延出する延出部３３３１，３４３１が形成されている。これら延出部３３３１，３４３１の延出方向は、リンクアーム３３，３４が回動していない状態（ディスクを搬入していない状態）では、開口部２１１（図５）に向かう方向に設定されている。また、延出部３３３１，３４３１は、図示を省略するが、当該延出方向先端側の端部から規制部３３３，３４３の側面に向かって傾斜する傾斜面を有し、当該傾斜面は、ディスクの端縁に当接して、当該側面に適切に当接させる。
【００５３】
〔検知レバーの構成〕
検知レバー３５は、本発明の第１レバーに相当し、リンクアーム３３の底面側に軸支され、ディスクがチャッキング位置に搬入されたことを検知して、後述する昇降装置８の第１スライドカム８１をＺ方向基端側に移動させる。この検知レバー３５は、平面視略Ｌ字状の平板状に形成され、回動軸側の端部に、底面側に突出する略円筒状の押圧部３５１が形成され、また、回動軸側とは反対側の端部に、同じく底面側に突出する突出部３５２が形成されている。
このうち、突出部３５２は、チャッキング位置に搬入されるディスクの端縁に当接し、検知レバー３５を回動させる。また、押圧部３５１は、検知レバー３５が回動した際に、第１スライドカム８１を押圧してＺ方向基端側に移動させる。
【００５４】
〔チャック装置の構成〕
チャック装置４は、後述する光学装置５のターンテーブル５２１とともに、搬入されたディスクをチャッキングする。このチャック装置４は、図４〜図６に示すように、一対のチャックアーム４１，４２と、チャックプーリー４３と、各チャックアーム４１，４２を付勢する引張コイルばね４４，４５とを備える。
【００５５】
〔チャックプーリーの構成〕
チャックプーリー４３は、本発明の挟持部材に相当し、ディスクの記録面とは反対側の面に当接して、ターンテーブル５２１とともに当該ディスクを挟持するものであり、図４に示すように、開口部２１１に応じた位置に配置される。このチャックプーリー４３は、内部に磁石が設けられ、かつ、開口部２１１内に挿入される小径部（図示省略）と、当該開口部２１１より大きな直径寸法を有する大径部４３１とを有し、当該大径部４３１は、チャックアーム４１，４２により支持される。
【００５６】
このため、チャックプーリー４３は、ディスクをチャッキングしていない状態では、当該各チャックアーム４１，４２により、開口部２１１から浮いた状態で維持される。そして、各チャックアーム４１，４２が回動してチャックプーリー４３から離間すると、磁力によってターンテーブル５２１に近接する方向にチャックプーリー４３が移動して、これらのよるディスクのチャッキングが行われる。この際、大径部４３１は、上部フレーム２１Ａに干渉せず、このため、ディスクの回転が妨げられることがない。
なお、ディスクの搬出時には、大径部４３１がチャックアーム４１，４２により持ち上げられることで、チャックプーリー４３とターンテーブル５２１とによるチャッキングが解除される。
【００５７】
〔チャックアームの構成〕
一対のチャックアーム４１，４２は、本発明の第３アームに相当し、上面部２１Ｕにおける左側（Ｘ方向先端側）及び右側（Ｘ方向基端側）にそれぞれ軸支される。また、チャックアーム４１は、リンクアーム３３と交差し、チャックアーム４２は、リンクアーム３４と交差するように、各リンクアーム３３，３４と上部フレーム２１Ａの上面部２１Ｕとの間に配置される。
これらチャックアーム４１，４２は、図６に示すように、それぞれの略中央に略円形状の開口部４１１，４２１が形成されており、当該開口部４１１，４２１に上面部２１Ｕに形成されたボス（図示省略）が挿入されることで、当該開口部４１１，４２１の中心を回動軸ＲＡ５，ＲＡ６として、各チャックアーム４１，４２は回動する。
【００５８】
各チャックアーム４１，４２は、開口部２１１側の端部に、当該開口部２１１に沿う略円弧状の当接部４１２，４２２を有する。これら当接部４１２，４２２は、ディスクが搬入されていない状態では、チャックプーリー４３に当接して、当該チャックプーリー４３を上部フレーム２１Ａから離間される方向に押し上げた状態で支持する。
また、チャックアーム４１，４２は、リンクアーム３４に当接して、当該チャックアームの回動を規制する規制部４１３，４２３を有する。具体的に、規制部４１３は、凸部３４６が嵌まり込む切欠として形成され、また、規制部４２３は、チャックアーム４２の略中央における内径側（開口部２１１に近い側）の端縁に形成されている。そして、規制部４１３に前述の凸部３４６が嵌まり込み、また、規制部４２３に、ボス３４７に当接することで、リンクアーム３４が回動していない状態（ディスクが搬入されていない状態）での、チャックアーム４１，４２の回動が規制される。なお、フロントアーム３１，３２の回動に伴うリンクアーム３３，３４の回動により、当該リンクアーム３３，３４が規制部４１３，４２３から離間することにより、チャックアーム４１，４２の回動規制が解除される。
【００５９】
チャックアーム４１，４２は、開口部２１１から離間する側の端部に、当該チャックアーム４１，４２の底面側に突出する略円筒状の突出部４１４，４２４をそれぞれ有する。これら突出部４１４，４２４は、後述する昇降装置８の第２スライドカム８２のガイド部８２１，８３５（図１１及び図１４）にそれぞれ挿入され、当該第２スライドカム８２の回動に伴って、チャックアーム４１，４２を回動させる。このチャックアーム４１，４２の回動により、当接部４１２，４２２がチャックプーリー４３から離間し、当該チャックプーリー４３が、チャッキング位置に搬入されたディスクを、ターンテーブル５２１とともにチャッキングする。
【００６０】
なお、チャックアーム４１における突出部４１４側の端部には、係合部４１５が形成され、また、チャックアーム４２における突出部４２４と開口部４２１との間には、係合部４２５が形成されている。これら係合部４１５，４２５には、上部フレーム２１Ａに一端が係止された引張コイルばね４４，４５の他端が係合する。このため、チャックアーム４１，４２は、当該ばね４４，４５の付勢力により、当接部４１２，４２２がチャックプーリー４３に当接する方向に付勢される。
【００６１】
このようなチャックアーム４１，４２は、ディスクが搬入されていない状態では、リンクアーム３３，３４により回動が規制され、各リンクアーム３３，３４が回動されると、各チャックアーム４１，４２の回動が許容される。また、検知レバー３５の回動により、後述する第１スライドカム８１がスライドされると、第２スライドカム８２により、チャックアーム４１，４２が、チャックプーリー４３から離間する方向に回動して、当該チャックプーリー４３によるディスクのチャッキングが行われる。
【００６２】
〔下部ユニットの構成〕
図７及び図８は、下部ユニット２２を示す上面図及び下面図である。
下部ユニット２２は、前述のように、装置本体２の下部を構成する。この下部ユニット２２は、図７及び図８に示すように、下部フレーム２２Ａを備えるほか、光学装置５、検出装置６、駆動装置７及び昇降装置８を備える。そして、これら光学装置５、検出装置６、駆動装置７及び昇降装置８は、それぞれ下部フレーム２２Ａに取り付けられる。
【００６３】
下部フレーム２２Ａは、図７に示すように、挿抜口２Ａを形成する前述の凹部２２Ａ１と、Ｚ方向先端側に形成された略矩形状の開口部２２１と、凹部２２Ａ１の略中央近傍に形成された略楕円形状を有する開口部２２２と、凹部２２Ａ１の左側（Ｘ方向先端側）に位置する開口部２２３及び軸部２２４とを有するほか、複数の溝部が形成されている。これらのうち、複数の溝部は、前述の上部フレーム２１Ａの溝部と同様に、各アームの回動範囲を規定するほか、各アーム等に設けられた突出部位を、上面部２２Ｕ側又は下面部２２Ｌ側に露出させる。更に、下部フレーム２２Ａは、上面部２２Ｕに軸支されたサポートアーム２２５を備える。
【００６４】
開口部２２１，２２２は、下面部２２Ｌに取り付けられた光学装置５及び後述するロックレバー２２８の突起部２２８３を、上面部２２Ｕ側に露出させる。
開口部２２３は、後述する駆動装置７を構成し、かつ、当該開口部２２３内に形成された軸部２２４に軸支されるギアシャフト７６を上面部２２Ｕ側に露出させる。このギアシャフト７６は、前述のアイドラー３１４と噛合する。
【００６５】
〔サポートアームの構成〕
サポートアーム２２５は、フロントアーム３２が回動する際の把持部材３２３側の端部の軌跡に応じて、平面視略円弧状に形成され、上面部２２Ｕの右側（Ｘ方向基端側）の端縁近傍に軸支されている。換言すると、サポートアーム２２５は、挿抜口２Ａから後述するターンテーブル５２１に至るまでの範囲内に軸支されている。このサポートアーム２２５は、軸支位置に設けられた捻りコイルばね２２５０の付勢力により、ディスクが搬入されていない状態では、Ｚ方向に略直交する状態で維持されている。
【００６６】
このようなサポートアーム２２５は、軸支位置とは反対側の端部に、搬入されるディスクの端縁に当接する当接部２２５１を有する。そして、サポートアーム２２５は、当該当接部２２５１に当接したディスクの搬送力により回動しつつ、当該ディスクをセンタリングする。特に、小径のディスクＤ２が挿抜口２Ａにおけるフロントアーム３１側に偏って挿入された際に、当該ディスクＤ２の端縁に当接部２２５１が当接することで、ディスクＤ２はセンタリングされる。
【００６７】
また、サポートアーム２２５は、図８に示すように、軸支位置近傍に下方に向かって突出する突起部２２５２を有する。この突起部２２５２は、後述する第２スライドカム８２と係合し、ディスクが搬入されていない状態で、当該第２スライドカム８２の回動を規制する。そして、サポートアーム２２５がディスクの搬入に伴って回動することにより、突起部２２５２による第２スライドカム８２の回動規制が解除され、また、当該第２スライドカム８２の回動により、サポートアーム２２５は、ディスクの端面から離間される。
【００６８】
下部フレーム２２Ａの下面部２２Ｌには、図８に示すように、挿抜口２Ａの右側（Ｘ方向基端側であり、図８における左側）端部近傍に、面外方向に突出する略円筒状の突起部２２６が形成され、また、略中央には、平面視略Ｕ字状のガイド部２２７が形成されている。
突起部２２６は、後述する検出装置６の検知アーム６１を軸支する。
ガイド部２２７は、後述する第２スライドカム８２の回動を案内する。このガイド部２２７の内側及び外側に、後述する光学装置５及び第２スライドカム８２が位置する。ガイド部２２７には、当該光学装置５のホルダー５６に設けられた一対の突起部５６１１が挿通する開口部（図示省略）が形成されており、当該開口部を介して、各突起部５６１１は、第２スライドカム８２と係合する。
【００６９】
〔ロックレバーの構成〕
下面部２２ＬにおけるＺ方向基端側には、挿抜口２Ａと第２スライドカム８２との間に、本発明の閉塞部材としてのロックレバー２２８が軸支されている。このロックレバー２２８は、ディスクの搬入後に挿抜口２Ａを塞ぐように起立して、他のディスクの挿入を防止するものである。
ロックレバー２２８は、図８及び図９に示すように、右側（Ｘ方向基端側）端部に形成された軸部２２８１を有し、当該軸部２２８１にて、下面部２２Ｌに対して傾倒自在に軸支される。また、ロックレバー２２８は、第２スライドカム８２に係合する突起部２２８２を有するほか、軸部２２８１とは反対側に形成され、上方側に突出する突起部２２８３を有する。
【００７０】
このようなロックレバー２２８は、ディスクが搬入されていない状態では、下面部２２Ｌに対して傾斜するように配置されている。そして、ディスクの搬入に伴って当該第２スライドカム８２が回動すると、突起部２２８２が第２スライドカム８２のガイド部８２９に沿って摺動して、下面部２２Ｌに沿うようにロックレバー２２８が回動する。この回動により、突起部２２８３が、開口部２２２を介して上面部２２Ｕ側に露出する。この突起部２２８３が、挿抜口２Ａの略中央を塞ぐことで、他のディスクの挿入が防がれる。
【００７１】
また、下部フレーム２２Ａにおける下面部２２Ｌから起立する側面のうち、左側（Ｘ方向先端側であり、図８における右側）の側面には、略直角三角形状の係止部２２９が突設されている。この係止部２２９は、第２スライドカム８２の規制部８２５と当接して、当該第２スライドカム８２が、引張コイルばね（図示省略）によるＺ方向先端側への付勢力により、同方向にスライドしすぎないようにする。すなわち、当該係止部２２９は、第２スライドカム８２の初期位置を規定している。
更に、下面部２２Ｌには、後述する駆動装置７のモーター７１近傍に、面外方向（下方）に突出する突起部２３０が形成されている。この突起部２３０は、ディスクの搬入に伴って第２スライドカム８２が回動した際に当接部８２８と当接して、当該第２スライドカム８２が必要以上に回動することを規制する。
【００７２】
〔光学装置の構成〕
図９は、下部フレーム２２Ａ及び制御基板６２を除く下部ユニット２２を上方から見た図である。
光学装置５は、搬入されたディスクに対する情報の読取及び記録を行う。この光学装置５は、図７及び図８に示すように、下部フレーム２２ＡにおけるＺ方向先端側（図７及び図８における上側）に位置し、当該光学装置５の奥側（Ｚ方向先端側）の端縁を中心として、換言すると、Ｘ方向に沿う軸を中心として、挿抜口２Ａ側の端部が上下方向に回動自在に下面部２２Ｌに取り付けられている。換言すると、光学装置５は、Ｙ方向を中心とする回動が規制された状態で取り付けられている。このような光学装置５は、図７〜図９に示すように、支持部材５１、回転装置５２、一対のガイドレール５３、移動装置５４及びピックアップ５５と、支持部材５１を保持するホルダー５６とを備える。
【００７３】
支持部材５１は、Ｚ方向に沿って長い略矩形箱型状の金属製部材であり、当該Ｚ方向先端側の両端は、下面部２２Ｌに対して傾倒自在にねじ５８（図８）により取り付けられ、また、当該Ｚ方向基端側の両端は、ホルダー５６にねじ５８（図８）により固定される。この支持部材５１は、略中央に開口部５１１を有し、当該開口部５１１内にはピックアップ５５が配置される。すなわち、開口部５１１内には、ピックアップ５５が移動するスペースが形成される。
【００７４】
回転装置５２は、本発明の回転手段に相当し、図８及び図９に示すように、支持部材５１のＺ方向基端側（挿抜口２Ａ側）の端部に設けられ、搬入されたディスクを回転させる。この回転装置５２は、ターンテーブル５２１と、当該ターンテーブル５２１を回転させるモーター（図示省略）と、当該モーターの駆動を制御する制御基板５２２とを備える。
ターンテーブル５２１は、中心が前述の仮想の直線Ｌ（図４）上に位置するように配置される。このターンテーブル５２１は、ディスクの中央に形成された孔部に嵌合される嵌合部５２１１を有し、当該嵌合部５２１１には、チャックプーリー４３と引き合う磁石（図示省略）が設けられている。このターンテーブル５２１の上面の中心に対応する位置が、チャッキング位置（本発明の搬入位置）の中心に相当する。
一対のガイドレール５３は、Ｚ方向に略平行に延出し、当該各ガイドレール５３には、ピックアップ５５が摺動自在に取り付けられている。
【００７５】
移動装置５４は、図９に示すように、支持部材５１におけるＸ方向基端側に設けられ、当該移動装置５４は、軸方向に沿う螺旋溝が外周に形成されたスピンドル５４１と、当該スピンドル５４１を回転させる駆動部５４２とを備える。このスピンドル５４１の螺旋溝には、ピックアップ５５の一端が噛合する。そして、駆動部５４２がスピンドル５４１を回転させると、当該スピンドル５４１の回転に伴ってピックアップ５５が、ガイドレール５３に沿って、ターンテーブル５２１に対して近接及び離間する方向に移動する。
ピックアップ５５は、ターンテーブル５２１により回転されるディスクにレーザー光を照射して、当該ディスクに情報を記録するほか、ディスクからの反射光を受光して、当該ディスクに記録された情報を読み取る。すなわち、ピックアップ５５は、ディスクに対して情報の読取及び記録の少なくともいずれかを行う情報読取／記録手段に相当する。
【００７６】
ホルダー５６は、前述の支持部材５１とともに、本発明の保持部材を構成し、一端が下面部２２Ｌに軸支され、他端が後述する第２スライドカム８２に係合する。このホルダー５６は、当該第２スライドカム８２の回動に伴って、支持部材５１におけるＺ方向基端側（ターンテーブル５２１が配置される側）の端部を上方又は下方に移動させるものである。このホルダー５６は、支持部材５１におけるＺ方向基端側の端部に沿い、かつ、当該端部が固定される基部５６１と、当該基部５６１の左右両端からＺ方向先端側に延出する一対の延出部５６２，５６３とを備え、これらにより平面視略Ｕ字状を有する。
【００７７】
基部５６１は、後述する第２スライドカム８２の回動方向に沿うように形成され、下面部２２Ｌに設けられた引張コイルばね（図示省略）により、下方側に付勢されている。この基部５６１は、Ｚ方向基端側に向かって略円筒状に突出する一対の突起部５６１１を備える。これら突起部５６１１は、本発明の第１係合部に相当し、第２スライドカム８２の一対のガイド溝８３９（図１１）にそれぞれ挿入される。
左右の延出部５６２，５６３は、支持部材５１の左右両端の略３／４を覆うように配置される。これら延出部５６２，５６３のＺ方向先端側の端部には、支持部材５１から離間する方向に突出する略円筒状の軸部５６２１，５６３１が形成されており、各軸部５６２１，５６３１にて、ホルダー５６は下面部２２Ｌに軸支される。
このようなホルダー５６は、突起部５６１１が係合する第２スライドカム８２の回動に伴って、軸部５６２１，５６３１を回動軸として上下に回動する。これにより、ターンテーブル５２１が上下に移動して、ディスクのチャッキング及びチャッキングの解除が行われる。
【００７８】
〔検出装置の構成〕
検出装置６は、ディスクの搬送状態を検出するほか、スライドカムの回動位置を検出して、ディスクのチャッキング状態を検出する。そして、検出装置６は、これらの検出結果に基づいて、後述するモーター７１の駆動を制御する。このような検出装置６は、図７〜図９に示すように、検知アーム６１及び制御基板６２（図９では図示省略）を備える。
【００７９】
検知アーム６１は、突起部２２６に嵌合される略円筒状のボス６１１（図８）を有し、当該ボス６１１にて、挿抜口２ＡにおけるＸ方向基端側の端縁近傍に軸支される。このボス６１１の周囲には捻りコイルばね６３（図８及び図９）が取り付けられ、当該捻りコイルばね６３により、検知アーム６１は、挿抜口２Ａに近接する方向に付勢されている。
【００８０】
また、検知アーム６１は、当接部６１２、押圧部６１３及び開口部６１４を有する。
当接部６１２は、図７に示すように、ボス６１１とは反対側の端部側に、上方に突出するように形成されている。この当接部６１２の突出方向先端部は、上面部２２Ｕより上方に位置し、当該当接部６１２には、挿抜口２Ａに挿入されたディスクの端縁が当接する。そして、当該ディスクがＺ先端側に向かって押されることで、ボス６１１の中央を中心として、検知アーム６１が回動する。
【００８１】
押圧部６１３は、ボス６１１と当接部６１２との間に、当該ボス６１１の中央（すなわち、検知アーム６１の回動軸）を中心とする略円弧状に下方に突出するように形成されている。この押圧部６１３は、検知アーム６１の回動に伴って、制御基板６２上に配設されたスイッチ６２１，６２２を押圧する。
開口部６１４は、ボス６１１と押圧部６１３との間で、かつ、Ｚ方向先端側の端部近傍に略矩形状に形成されている。この開口部６１４には、前述のフロントアーム３２の突起部３２１２が挿入される。このため、フロントアーム３２の回動が第２スライドカム８２により規制されると、検知アーム６１の回動も規制される。
【００８２】
制御基板６２は、検知アーム６１に隣接配置され、図８に示すように、３つのスイッチ６２１〜６２３を有する。
スイッチ６２１，６２２は、制御基板６２における検知アーム６１側にそれぞれ並列配置され、回動する検知アーム６１の押圧部６１３により押圧される。これらスイッチ６２１，６２２は、ディスクが搬入されていない状態では、押圧されておらず、各スイッチ６２１，６２２の状態はオフ状態である。そして、ディスクの搬入に伴う検知アーム６１の回動初期にて、まずスイッチ６２１が押圧されてオン状態となり、当該検知アーム６１の回動終期にて、スイッチ６２２が押圧され、スイッチ６２１とともにオン状態となる。
【００８３】
スイッチ６２３は、制御基板６２におけるＺ方向先端側の端部に、後述する第２スライドカム８２に対して対向配置される。このスイッチ６２３は、第２スライドカム８２の押圧部８３０（図１４及び図１５）により押圧されてオン状態となっている。そして、ディスクの搬入に伴って第２スライドカム８２が回動すると、当該押圧部８３０による押圧が解除され、スイッチ６２３はオフ状態に遷移する。
【００８４】
このような制御基板６２は、スイッチ６２３がオン状態であるときに、スイッチ６２１がオフ状態からオン状態に遷移すると、駆動装置７を構成するモーター７１に駆動信号を出力し、当該モーター７１を順回転させる。これにより、搬送装置３によるディスクの搬入が行われ、ディスクの搬入位置に応じて検知アーム６１が更に回動することで、スイッチ６２２がオン状態となる。そして、第２スライドカム８２が回動して、スイッチ６２３がオフ状態となると、制御基板６２は、モーター７１に停止信号を出力し、これにより搬送装置３及び昇降装置８の駆動が停止される。
【００８５】
一方、ディスクを搬出する際（例えば、使用者等により図示しないイジェクトボタンが押下された場合）には、制御基板６２がモーター７１に駆動信号を出力して、当該モーター７１を逆回転させる。これにより、搬入時とは逆方向に第２スライドカム８２及び各アーム３１〜３４が回動する。そして、フロントアーム３２の挿抜口２Ａに近接する方向への回動に伴って、検知アーム６１が挿抜口２Ａに近接する方向に回動する。この後、スイッチ６２３がオン状態となり、また、スイッチ６２２がオフ状態となると、制御基板６２は、モーター７１に停止信号を出力し、これにより、搬送装置３及び昇降装置８の駆動が停止される。この状態では、ディスクは各把持部材３１２，３２２により把持されたままであるので、挿抜口２Ａからのディスクの転落が防がれる。
【００８６】
〔駆動装置の構成〕
駆動装置７は、搬送装置３、チャック装置４及び昇降装置８を駆動させる駆動力をこれらに伝達する。この駆動装置７は、図８に示すように、下面部２２Ｌにおける検出装置６とは反対側に配置され、当該駆動装置７は、駆動手段としてのモーター７１と、伝達手段としてのウォームギア７２、ウォームホイール７３、ギア７４，７５、ギアシャフト７６及びスイングアーム７７とを備える。
モーター７１は、前述の制御基板６２の制御下で駆動して、スピンドルに取り付けられたウォームギア７２を回転させる。このモーター７１は、ウォームギア７２の回転軸が、挿抜口２Ａに対して傾斜するように、下面部２２Ｌに固定されている。
【００８７】
ウォームホイール７３、ギア７４、ギアシャフト７６及びスイングアーム７７は、それぞれ下面部２２Ｌに軸支されている。
このうち、ウォームホイール７３は、減速ギアであり、当該ウォームホイール７３は、直径寸法がそれぞれ異なる２段のギア部７３１，７３２を有する。これらのうち、上方側(下面部２２Ｌに近接する側）に位置し、大きな直径寸法を有するギア部７３１は、ウォームギア７２と噛合する。また、下方側（下面部２２Ｌから離間する側）に位置し、小さな直径寸法を有するギア部７３２は、ギア７４に噛合する。
【００８８】
また、ウォームホイール７３は、下方側に回転軸上に形成された十字溝７３３を有する。この十字溝７３３には、前述の挿通孔２５１を挿通した治具（図示省略）が挿入される。そして、当該治具を介してウォームホイール７３を、モーター７１の逆回転時と同方向に回転させると、装置本体２の各装置３，４，８が駆動して、ディスクが搬出される。なお、ディスクが既に搬入されている状態で、モーター７１の順回転時と同方向にウォームホイール７３を回転させようとした場合（ディスクを搬入させようとした場合）には、後述する第２スライドカム８２の回動が規制されるので、ウォームホイール７３は回転されない構成となっている。
【００８９】
ギア７４は、本発明の第１ギアに相当し、図８及び図９に示すように、直径寸法がそれぞれ異なる２段のギア部７４１（図８）、７４２（図９）を有する。このうち、下方側に位置し、大きな直径寸法を有するギア部７４１は、ギア部７３２及びギア７５と噛合する。また、上方側に位置し、小さな直径寸法を有するギア部７４２は、後述する第１スライドカム８１のラック部８１７と噛合して、当該第１スライドカム８１をスライドさせる。すなわち、ギア部７４２は、ラック部８１７に対するピニオンとして機能する。
ギア７５は、本発明の第２ギアに相当し、スイングアーム７７に軸支されている。このギア７５は、ギア７４と噛合するほか、ディスクが搬入されていない状態では、ギアシャフト７６に噛合する。
【００９０】
ギアシャフト７６は、略円筒状に形成され、前述の軸部２２４に軸支される。このギアシャフト７６は、軸方向の両端に、それぞれギア部７６１（図８）、７６２（図７及び図９）を有する。下方側（Ｙ方向基端側）のギア部７６１は、ギア７５に噛合し、上方側（Ｙ方向先端側）のギア部７６２は、上面部２２Ｕより上方に位置し、前述のアイドラー３１４と噛合する。これにより、モーター７１の回転力が、ギア３１５〜３１７を介して、各把持部材３１２，３１３に伝達され、当該各把持部材３１２，３１３が回転する。
【００９１】
スイングアーム７７は、本発明の第２アームに相当し、図９に示すように、ギア７４を軸支する軸部（図示省略）が挿通する略円形状の開口部７７１を中央に有し、当該開口部７７１を中心として回動自在に下面部２２Ｌに取り付けられている。換言すると、スイングアーム７７は、ギア７４と同軸で回動するように、当該下面部２２Ｌに軸支される。
このスイングアーム７７は、Ｚ方向基端側の端部に、ギア７５を軸支する軸部７７２を有し、Ｚ方向先端側の端部に、第２スライドカム８２のガイド溝８２４（図１４及び図１５）に挿入される突起部７７３を有する。そして、第２スライドカム８２の回動に応じて突起部７７３がガイド溝８２４に沿って移動することで、スイングアーム７７は、ギア７５がギアシャフト７６から近接及び離間する方向に回動する。
【００９２】
具体的に、ディスクの搬入に伴う第２スライドカム８２の回動時（後述するＳ１方向への回動時）には、チャッキング位置にディスクが搬入されているので、フロントアーム３１の各把持部材３１２，３１３を回転させる必要がなく、逆に、当該第２スライドカム８２を回動させる駆動力が必要となる。このため、スイングアーム７７が、ギア７５をギアシャフト７６から離間させる方向に回動することで、ギア７５からギアシャフト７６に回転力が伝達されなくなる。これにより、フロントアーム３１の各把持部材３１２，３１３の回転が停止され、第２スライドカム８２の回動に要する駆動力が確保される。
【００９３】
一方、ディスクの搬出に伴う第２スライドカム８２の回動時（後述するＳ２方向への回動時）には、当該第２スライドカム８２の回動が終わる直前に、スイングアーム７７は、ギア７５がギアシャフト７６に近接する方向に回動する。このため、ギア７５とギアシャフト７６が互いに噛合して、当該ギア７５からギアシャフト７６に回転力が伝達される。これにより、各把持部材３１２，３１３が回転され、ディスクを搬出するための駆動力が確保される。
【００９４】
〔昇降装置の構成〕
図１０は、昇降装置８をＺ方向基端側でＹ方向基端側（下方側）から見た斜視図であり、図１１は、当該昇降装置８をＺ方向先端側でＹ方向先端側（上方側）から見た斜視図である。なお、図１０及び図１１において示すＸ，Ｙ，Ｚの各方向は、ディスクが搬入されていない状態での昇降装置８の向きに合わせて記載されている。
昇降装置８は、駆動装置７から伝達される駆動力により、光学装置５を昇降させる。また、昇降装置８は、搬送装置３の各フロントアーム３１，３２、チャック装置４のチャックアーム４１，４２及びサポートアーム２２５を、チャッキング位置に搬入されたディスクから離間させるほか、ロックレバー２２８を回動させて、挿抜口２Ａをロックする。このような昇降装置８は、図８〜図１０に示すように、第１スライドカム８１及び第２スライドカム８２を備える。
【００９５】
〔第１スライドカムの構成〕
図１２及び図１３は、第１スライドカム８１を示す上面図及び下面図である。なお、図１２及び図１３において示すＸ，Ｙ，Ｚの各方向は、ディスクが搬入されていない状態での第１スライドカム８１の向きに合わせて記載している。
第１スライドカム８１は、本発明の第１カム部材に相当し、第２スライドカム８２の下面にスライド自在に取り付けられる。この第１スライドカム８１は、ディスクの搬入時に検知レバー３５により押圧されて、駆動装置７に近接する方向にスライドする。そして、第１スライドカム８１は、ギア７４と噛合することで、図１０〜図１３に示すＳ１方向（上方から見て反時計回り）及びＳ２方向（上方から見て時計回り）にスライドし、ひいては、第２スライドカム８２を同方向に回動させる。すなわち、第１スライドカム８１のスライドは、第２スライドカム８２の回動の契機となる。
このような第１スライドカム８１は、図１２及び図１３に示すように、Ｚ方向に沿って長い略円弧状部材として形成されている。そして、この第１スライドカム８１は、当接部８１１、８１２、ガイド部８１３、開口部８１４、係合部８１５，８１６、ラック部８１７、ガイド部８１８及び突起部８１９を有する。
【００９６】
当接部８１１は、Ｚ方向先端側（Ｓ２方向側）に位置し、当接部８１２は、第１スライドカム８１の略中央における内径側に位置している。これら当接部８１１，８１２には、ディスクＤ１，Ｄ２を搬入する際に、検知レバー３５の押圧部３５１がそれぞれ当接する。そして、第１スライドカム８１は、当該検知レバー３５の回動により、第２スライドカム８２に沿ってＺ方向基端側であり、Ｓ１方向側（挿抜口２Ａに近接する側）にスライドする。
ガイド部８１３は、同じくＸ方向先端側で、当接部８１２と同じ側に位置し、ディスクＤ２がチャッキングされた際に押圧部３５１に当接して、検知レバー３５をディスクＤ２から離間させる。
【００９７】
開口部８１４は、Ｚ方向先端側に略矩形状に形成され、また、係合部８１５は、第１スライドカム８１の略中央における内径側に形成されている。この開口部８１４の端縁及び係合部８１５には、第２スライドカム８２の鉤状部８３６，８３７が係合して、当該第２スライドカム８２からの第１スライドカム８１の脱落を防止するほか、当該第２スライドカム８２のスライドを案内する。
係合部８１６は、第１スライドカム８１の略中央に下方側に突出するように鉤状に形成され、当該係合部８１６には、一端が第２スライドカム８２に係止された引張コイルばね（図示省略）が係合する。この引張コイルばねにより、第１スライドカム８１は、第２スライドカム８２に対してＺ方向先端側に付勢される。
【００９８】
ラック部８１７、ガイド部８１８及び突起部８１９は、Ｚ方向基端側（Ｓ１方向側）の端部に形成されている。
ラック部８１７は、本発明の噛合部に相当し、外径側の端縁に沿って形成されている。このラック部８１７は、第１スライドカム８１がＳ１方向側にスライドした際に、ギア７４に噛合する。そして、第１スライドカム８１は、ギア７４の回転により、Ｓ１方向及びＳ２方向にスライドする。
ガイド部８１８は、内径側の端縁に沿って形成されている。このガイド部８１８は、第２スライドカム８２の鉤状部８３８（図１０及び図１５）に当接し、第１スライドカム８１のスライドを案内する。
【００９９】
突起部８１９は、上方に突出する略楕円筒状を有する突起であり、本発明の当接部に相当する。この突起部８１９は、第２スライドカム８２のガイド溝８２７（図１４及び図１５）内に挿入されて、開口部８１４の端縁、係合部８１５及びガイド部８１８とともに、第２スライドカム８２に対する第１スライドカム８１のスライドを案内するほか、当該ガイド溝８２７におけるＳ１方向側の端縁に当接して、当該第１スライドカム８１のＳ１方向へのスライドに応じて第２スライドカム８２を同方向にスライドさせる。
【０１００】
〔第２スライドカムの構成〕
図１４及び図１５は、第２スライドカム８２を示す上面図及び下面図である。
第２スライドカム８２は、本発明の第１カム部材に相当し、ギア７４に噛合してＳ１方向及びＳ２方向にスライドする第１スライドカム８１により同方向にスライドしつつ回動し、光学装置５を昇降させるほか、搬入されたディスクの端縁に対して各アーム及び各レバーを離間及び当接させる。
この第２スライドカム８２は、図８〜図１１に示すように、略半円形状を有する合成樹脂製の一体成形品であり、挿抜口２Ａと回転装置５２との間に配置される。この第２スライドカム８２の略半円形状の中心と、第１スライドカム８１の略円弧状の中心とは略一致し、当該中心は、前述の仮想の直線Ｌ上に位置する。このような第２スライドカム８２は、図１４及び図１５に示すように、ガイド部８２１、係止部８２２，８２３、ガイド溝８２４、規制部８２５、ガイド部８２６、ガイド溝８２７、当接部８２８、ガイド部８２９、押圧部８３０、ガイド部８３１，８３２、規制部８３３、ガイド部８３４，８３５（以上、図１４）及び鉤状部８３６〜８３８（図１５）を備える。
【０１０１】
以下、第２スライドカム８２におけるＳ２方向側からＳ１方向側に向かってそれぞれ形成された各部８２１〜８３５を、主に図１４に基づいて説明する。
ガイド部８２１は、第２スライドカム８２のＳ２方向側の端部に上面部８２Ｕから起立し、当該ガイド部８２１は、チャックアーム４１の突出部４１４（図６）と係合する。そして、ガイド部８２１は、第２スライドカム８２がＳ１方向に回動した際に、チャックアーム４１を回動させて、チャックプーリー４３から当接部４１２を離間させる。なお、第２スライドカム８２がＳ２方向に回動する場合には、引張コイルばね４４の付勢力によりチャックアーム４１は回動され、当接部４１２がチャックプーリー４３に当接する。
【０１０２】
係止部８２２，８２３は、Ｓ２方向側で、かつ、第２スライドカム８２の内径側にそれぞれ形成されている。これらのうち、内径側に突出する係止部８２２には、下面部２２Ｌに設けられた引張コイルばね（図示省略）が係合する。このばねにより、第２スライドカム８２は、Ｓ２方向側（Ｓ１方向とは反対側）に付勢される。また、外径側に突出する係止部８２３には、一端が第１スライドカム８１に係止された引張コイルばね（図示省略）の他端が係止される。
【０１０３】
ガイド溝８２４は、第２スライドカム８２のＳ２方向側の端部近傍に形成され、当該ガイド溝８２４には、前述のスイングアーム７７の突起部７７３（図９）が挿入される。そして、当該ガイド溝８２４は、前述のように、第２スライドカム８２の回動に応じて、スイングアーム７７を回動させて、ギア７５とギアシャフト７６とを噛合又は離間させる。
規制部８２５は、第２スライドカム８２の外径側に形成されている。この規制部８２５は、第２スライドカム８２がＳ２方向に回動した際に、下部フレーム２２Ａの係止部２２９（図８）と当接し、当該第２スライドカムの更なるＳ２方向への回動を規制する。
ガイド部８２６は、第２スライドカム８２の上面部８２Ｕ側に、内径側の端縁に沿って形成されている。このガイド部８２６は、下面部２２Ｌに当接して、当該第２スライドカム８２のスライドを案内する。
【０１０４】
ガイド溝８２７は、第２スライドカム８２の半円形状と略同じ中心を有する略円弧状に形成され、当該ガイド溝８２７には、第１スライドカム８１の突起部８１９（図１２）が挿入される。そして、前述のように、当該突起部８１９がガイド溝８２７のＳ１方向側の端縁に当接しつつ、第１スライドカム８１がＳ１方向にスライドすることで、第２スライドカム８２が、同方向に回動する。なお、第２スライドカム８２はＳ２方向に付勢されているため、モーター７１が逆回転して、第１スライドカム８１がＳ２方向にスライドする場合には、突起部８１９がガイド溝８２７のＳ１方向側の端縁に当接したまま、第２スライドカム８２は、Ｓ２方向に回動する。
当接部８２８は、第２スライドカム８２がＳ１方向に回動した際に、下面部２２Ｌに形成された突起部２３０（図８）に当接し、当該第２スライドカム８２が必要以上に回動することを規制する。
【０１０５】
ガイド部８２９は、外径側に形成され、かつ、高さ位置（Ｙ方向の位置）がそれぞれ異なる第１ガイド部８２９１及び第２ガイド部８２９４により構成される。このガイド部８２９は、ロックレバー２２８の突起部２２８２（図８及び図９）と係合し、当該ロックレバー２２８を回動させる。
第１ガイド部８２９１は、図１５に示すように、Ｓ２方向側で、かつ、下方側（Ｙ方向基端側）に形成されている。この第１ガイド部８２９１は、Ｓ２方向側に位置し、かつ、当該Ｓ２方向に沿う平坦部８２９２と、Ｓ１方向側に位置し、かつ、平坦部８２９２のＳ２方向側の端部から上方に向かって傾斜する傾斜部８２９３とを有する。
【０１０６】
第２ガイド部８２９４は、図１４に示すように、Ｓ１方向側に位置し、かつ、上方側（Ｙ方向先端側）に形成されている。この第２ガイド部８２９４は、Ｓ２方向側に位置し、かつ、上方に向かって傾斜した傾斜部８２９５と、当該傾斜部８２９５のＳ１方向側の端部に接続され、かつ、当該Ｓ１方向に沿う平坦部８２９６とを有する。そして、傾斜部８２９５は、傾斜部８２９３と対向するように配置されている。
【０１０７】
このようなガイド部８２９において、ディスクが搬入されていない状態では、突起部２２８２は、平坦部８２９２に応じた位置に配置されており、第２スライドカム８２のＳ１方向への回動に伴って、当該突起部２２８２は、平坦部８２９２から傾斜部８２９３側に移動する。そして、第２スライドカム８２が更にＳ１方向に移動すると、突起部２２８２は、傾斜部８２９３と対向される傾斜部８２９５に沿って移動して、突起部２２８３が上面部２２Ｕから突出する方向に、ロックレバー２２８を回動させる。そして、突起部２２８２が、平坦部８２９６に沿うように配置されることで、ロックレバー２２８の回動が規制され、突起部２２８３が上面部２２Ｕから突出した状態が維持される。これにより、挿抜口２Ａに対する他のディスクの挿入が規制される。
【０１０８】
なお、この状態から第２スライドカム８２がＳ２方向に回動した場合には、突起部２２８２が、平坦部８２９６から平坦部８２９２に向かって相対的に移動することにより、ロックレバー２２８が逆方向に回動して、突起部２２８３が上面部２２Ｕから下方に移動する。これにより、挿抜口２Ａに対するディスクの挿入が許容される。
【０１０９】
押圧部８３０は、外径側に形成され、前述のスイッチ６２３（図８）を押圧する。この押圧部８３０は、第２スライドカム８２がＳ１方向に回動し終えた状態で、スイッチ６２３から離間する。
ガイド部８３１は、外径側から外側に突出する。このガイド部８３１のＳ１方向側端部は、第２スライドカム８２のＳ１方向への回動時に、大径のディスクＤ１を搬入するフロントアーム３２の突起部３２１３に当接し、当該フロントアーム３２をディスクＤ１から離れる方向に回動させる。
ガイド部８３２は、Ｓ１方向に略直交する面を有し、同様に、第２スライドカム８２がＳ１方向に回動する際に、当該面にて突起部３２１３に当接して、フロントアーム３２を小径のディスクＤ２から離れる方向に回動させる。
これらガイド部８３１，８３２は、本発明の第２係合部に相当する。
【０１１０】
規制部８３３は、Ｓ１方向側を向く略Ｕ字状に外径側に形成されている。この規制部８３３は、ディスクが搬入されていない状態で第２スライドカム８２がＳ１方向に回動しないように、サポートアーム２２５の突起部２２５２（図７）に当接し、当該第２スライドカム８２の回動を規制する。
ガイド部８３４は、内径側に形成され、第２スライドカム８２のＳ１方向への回動時に、ディスクに当接して回動した突起部２２５２に当接し、サポートアーム２２５をディスクから離れる方向に回動させる。
【０１１１】
ガイド部８３５は、Ｓ１方向側の端部において上面部８２Ｕから起立して形成されている。このガイド部８３５は、ディスクＤ１，Ｄ２がチャッキング位置に搬入された際に、第２スライドカム８２のＳ１方向への回動に伴って、チャックアーム４２の突出部４２４（図６）と係合し、当接部４２２がチャックプーリー４３から離間する方向に、チャックアーム４１を回動させる。なお、第２スライドカム８２がＳ２方向に回動した場合には、ガイド部８３５と突出部４２４とが離間し、チャックアーム４２は、引張コイルばね４４（図４）の付勢力により、当接部４２２がチャックプーリー４３に近接する方向に回動する。
【０１１２】
鉤状部８３６〜８３８は、図１５に示すように、Ｓ２方向側の端部近傍に、第２スライドカム８２の下面部８２Ｌから突出するように形成されている。
これらのうち、鉤状部８３６は開口部８１４（図１０）に挿入され、鉤状部８３７は係合部８１５（図１０）と係合して、第２スライドカム８２からの第１スライドカム８１の脱落を規制する。
鉤状部８３８は、ガイド溝８２７近傍に形成され、ガイド部８１８（図１０）に係合して、第２スライドカム８２に対する第１スライドカム８１の移動を案内する。
【０１１３】
第２スライドカム８２は、これらの他に、図１１に示すように、一対のガイド溝８３９を有する。これらガイド溝８３９は、本発明の溝部に相当し、内径側、すなわち、前述のホルダー５６の基部５６１（図９）に近接する側に形成されている。これらガイド溝８３９は、Ｓ１方向に沿う一対の平坦部８３９１，８３９３と、当該各平坦部８３９１，８３９３を接続する傾斜部８３９２とを有する。
【０１１４】
Ｓ１方向側に位置する平坦部８３９１は、Ｓ２方向側に位置する平坦部８３９３より下方側（Ｙ方向基端側）に位置し、また、傾斜部８３９２は、平坦部８３９１におけるＳ２方向側の端部から上方に向かってなだらかに連続して傾斜して、平坦部８３９３のＳ１方向側の端部に接続される。この傾斜部８３９２は、第２スライドカム８２の回動軸に沿う方向（Ｙ方向であり、ディスクＤ１，Ｄ２の回転軸に沿う方向）に対して傾斜する。換言すると、傾斜部８３９２は、第１係合部である突起部５６１１の移動範囲の一端から他端に向かうに従って、ディスクＤ１，Ｄ２に対して近接するように連続して傾斜している。更に換言すると、当該傾斜部８３９２は、ディスクＤ１，Ｄ２の一方の面（例えば、記録面）に対して傾斜する直線に沿うように形成されている。具体的には、傾斜部８３９２における平坦部８３９１側の端部に比べて、平坦部８３９３側の端部が、搬入されたディスクＤ１，Ｄ２に対して近い位置となるように、当該傾斜部８３９２は形成されている。
【０１１５】
このようなガイド溝８３９には、ホルダー５６の突起部５６１１がそれぞれ挿入される。そして、第２スライドカム８２がＳ１方向に回動すると、当該突起部５６１１が、平坦部８３９１に応じた位置から、傾斜部８３９２を介して平坦部８３９３に移動することにより、前述の光学装置５における挿抜口２Ａ側（Ｚ方向基端側）の端部が上昇される。一方、第２スライドカム８２がＳ２方向に回動すると、各突起部５６１１は、平坦部８３９３から傾斜部８３９２を介して平坦部８３９１側に移動して、光学装置５における挿抜口２Ａ側の端部が下降される。
【０１１６】
〔直径１２ｃｍのディスクの搬入〕
図１６〜図２４は、ディスクＤ１搬入時のディスク装置１の動作を示す図である。
以下、挿抜口２Ａに挿入された直径１２ｃｍのディスクＤ１を搬入する際のディスク装置１の動作を説明する。
挿抜口２ＡにディスクＤ１が挿入されると、当該ディスクＤ１は当接部６１２（図７）に当接して、検知アーム６１（図８）を回動させる。この検知アーム６１の回動によりスイッチ６２１が押圧され、制御基板６２（図８）により駆動信号が出力されると、モーター７１が駆動される。このモーター７１の駆動力（回転力）は、各ギア７２〜７６、アイドラー３１４及びギア３１５〜３１７を介して各把持部材３１２，３１３に伝達され、当該各把持部材３１２，３１３が回転する。
【０１１７】
ディスクＤ１が更に挿入されると、図１６に示すように、当該ディスクＤ１の端縁は、各把持部材３１２，３２２により把持される。そして、図１７に示すように、ディスクＤ１の端縁を、ローラーである把持部材３１２が回転しつつＺ方向先端側に押すと、各フロントアーム３１，３２が互いに離間する方向に同期して回動する。これにより、ディスクＤ１は、固定された把持部材３２２による把持位置を基点として、回転しつつＺ方向先端側に搬入される。
なお、このフロントアーム３１，３２の回動に伴って、検知アーム６１が更に回動して、スイッチ６２２が押圧部６１３により押圧される。
【０１１８】
そして、ディスクＤ１は、把持部材３１２，３２２から把持部材３１３，３２３に受け渡されて、更にＺ方向先端側に搬入される。この後、図１８に示すように、ディスクＤ１が、突出部３５２に当接された状態でＺ方向先端側に搬入されると、図１９に示すように、当該ディスクＤ１は、規制部３３３，３４３に当接する。これにより、ディスクＤ１が、チャッキング位置に配置される。この状態では、ディスクＤ１の中心に対してＺ方向基端側に位置する各把持部材３１３，３２３と、Ｚ方向先端側に位置する各規制部３３３，３４３とにより、当該ディスクＤ１は、４点で支持される。
また、この際には、ディスクＤ１に当接する検知レバー３５が回動し、押圧部３５１が当接部８１１を押圧して、第１スライドカム８１をＺ方向基端側（Ｓ１方向側）にスライドさせる。なお、この状態で、チャックアーム４１，４２の回動が許容される。
【０１１９】
第１スライドカム８１がスライドすると、図２０に示すように、ラック部８１７とギア７４とが噛合して、当該ギア７４の回転力により、第１スライドカム８１は更にＳ１方向側にスライドする。これにより、突起部８１９（図１１）がガイド溝８２７（図１１）のＳ１方向側の端縁に当接し、当該第１スライドカム８１が、第２スライドカム８２をＳ１方向に回動させる。
【０１２０】
この第２スライドカム８２の回動により、図２１に示すように、各アーム３１〜３４が、ディスクＤ１から離間する方向に回動され、リンクアーム３３に軸支された検知レバー３５も、ディスクＤ１から離間する。これら各アーム３１〜３４の回動に応じて、フロントアーム３２に係合する検知アーム６１が、下部フレーム２２Ａの周縁側に退避され、また、チャックアーム４１，４２がチャックプーリー４３から離間する方向に回動する。
なお、この時点では既にスイングアーム７７が回動し、ギア７５がギアシャフト７６から離間している。このため、各把持部材３１２，３１３の回転は停止されている。
【０１２１】
また、ロックレバー２２８が、突起部２２８２（図２０）が係合するガイド部８２９（図２０）により下面部２２Ｌに沿う方向に回動される。これにより、図２２に示すように、ロックレバー２２８の突起部２２８３が、上面部２２Ｕより上側に突出し、挿抜口２Ａがロックされる。
更に、光学装置５におけるターンテーブル５２１側（Ｚ方向基端側）の端部が、突起部５６１１が係合するガイド溝８３９により押し上げられ、嵌合部５２１１がディスクＤ１の中央の孔部に嵌合される。
このほか、サポートアーム２２５も、突起部２２５２が係合するガイド部８３４（図１１）により、ディスクＤ１から離間する。
【０１２２】
そして、図２３に示すように、チャックアーム４１，４２が第２スライドカム８２により更に回動されると、当接部４１２，４２２がチャックプーリー４３（図示省略）から完全に離間する。これにより、フリーとなったチャックプーリー４３と、上方に押し上げられたターンテーブル５２１とにより、ディスクＤ１がチャッキングされる。
この後、第２スライドカム８２が更にＳ１方向に回動して、図２４に示すように、押圧部８３０によるスイッチ６２３の押圧が解除されると、制御基板６２から停止信号が出力されて、モーター７１の駆動が停止される。
以上により、ディスクＤ１の搬入が終了する。
【０１２３】
〔直径８ｃｍのディスクの搬入〕
図２５〜図３３は、ディスクＤ２搬入時のディスク装置１の動作を示す図である。
次に、直径８ｃｍのディスクＤ２の搬入時の動作を説明する。
図２５及び図２６に示すように、挿抜口２Ａの略中央にディスクＤ２が挿入された場合には、当該ディスクＤ２の端縁が、把持部材３１３，３２３により把持される。この状態から、ディスクＤ２がＺ方向先端側に押されると、当該ディスクＤ２が当接部６１２に当接し、検知アーム６１が回動される。これにより、スイッチ６２１が押圧され、制御基板６２から出力される駆動信号に応じてモーター７１が駆動される。
【０１２４】
ここで、挿抜口２ＡのＸ方向の寸法に比べてディスクＤ２の直径寸法は小さいので、当該ディスクＤ２が挿抜口２Ａの左側（Ｘ方向先端側）又は右側（Ｘ方向基端側）に偏って挿入される場合がある。
このうち、ディスクＤ２が左側に偏って挿入された場合、フロントアーム３１が挿抜口２Ａから離間する方向に僅かに回動し、当該フロントアーム３１の回動に伴ってリンクアーム３３，３４がそれぞれ回動する。この際、突起部３４１（図２５）が溝部３３１（図２５）のＺ方向基端側の端縁に沿って摺動して規制部３３１１に嵌まり込むため、各リンクアーム３３，３４の回動が規制され、ひいては、フロントアーム３１，３２の回動も規制される。これにより、ディスクＤ２がセンタリングされずに、装置本体２内に搬入されることが防止される。
【０１２５】
また、ディスクＤ２が挿抜口２Ａの左端側に投げ込まれた場合には、フロントアーム３１及びリンクアーム３３側に荷重がかかり、突起部３２１１（図２５）は、溝部３４２における左側の端縁に沿って摺動する。この状態で、各アーム３１，３２が回動すると、突起部３２１１が規制部３４２１に嵌まり込むため、各アーム３１〜３４の更なる回動が規制される。これにより、前述の場合と同様に、ディスクＤ２がセンタリングされずに、装置本体２内に搬入されることが防止される。この後、捻りコイルばね３１８，３２４の付勢力により、各フロントアーム３１，３２は、規制部３４２１から突起部３２１１が離れつつ、挿抜口２Ａ側に回動して、図２５及び図２６に示した状態となる。
【０１２６】
一方、ディスクＤ２が右側に偏って挿入された場合には、フロントアーム３２によりディスクＤ２が把持された状態で、各アーム３１，３２は挿抜口２Ａから離間する方向に回動する。しかしながら、フロントアーム３２のＺ方向先端側には、当該Ｚ方向に対して略直交する方向に延出するように配置され、Ｚ方向基端側に向かって付勢されたサポートアーム２２５が配置されているため、当該サポートアーム２２５により、ディスクＤ２がセンタリングされる。そして、各捻りコイルばね３１８，３２４の付勢力により、各フロントアーム３１，３２が挿抜口２Ａ側に回動することで、当該ディスクＤ２は、各把持部材３１３，３２３により把持され、図２５及び図２６に示した状態となる。
【０１２７】
図２５及び図２６に示した状態から、各把持部材３１２，３１３が回転されると、図２７に示すように、ディスクＤ２を各把持部材３１３，３２３が把持した状態で、フロントアーム３１，３２は、挿抜口２Ａから離間する方向にそれぞれ回動し、当該ディスクＤ２をＺ方向先端側に搬入する。
そして、ディスクＤ２が更に搬入されると、図２８に示すように、ディスクＤ２が突出部３５２に当接し、この後、図２９に示すように、ディスクＤ２が各規制部３３３，３４３に当接する。この状態では、ディスクＤ２は、各規制部３３３，３４３及び把持部材３１３，３２３により４点で支持されて、チャッキング位置に配置される。また、検知レバー３５が回動して、図３０に示すように、押圧部３５１が当接部８１２をＺ方向基端側（Ｓ１方向側）に押圧し、第１スライドカム８１が同方向にスライドする。そして、第１スライドカム８１のＳ１方向へのスライドにより、前述のように、第２スライドカム８２が同方向に回動する。
【０１２８】
この第２スライドカム８２のＳ１方向への回動により、図３１に示すように、各アーム３１〜３４がディスクＤ２から離間する方向に回動する。また、リンクアーム３３の回動に応じて、検知レバー３５もディスクＤ２から離間し、フロントアーム３２の回動に応じて、検知アーム６１が下部フレーム２２Ａの周縁側に退避される。なお、この状態では、前述のディスクＤ１の場合と同様に、スイングアーム７７の回動によりギア７５とギアシャフト７６との噛合が解除されており、各把持部材３１２，３１３の回転は停止されている。
【０１２９】
また、図３２に示すように、サポートアーム２２５がディスクＤ２から離間する方向に回動されて、下部フレーム２２Ａ周縁側に退避される。このほか、前述のディスクＤ１の場合と同様に、光学装置５の上昇が行われ、ディスクＤ２の中央の孔部に、ターンテーブル５２１の嵌合部５２１１が嵌合される。更に、ロックレバー２２８が回動して、突起部２２８３が開口部２２２を介して、上面部２２Ｕ側に突出する。これにより、挿抜口２Ａがロックされる。
【０１３０】
これらに加えて、図３３に示すように、第２スライドカム８２によりチャックアーム４１，４２が回動され、当接部４１２，４２２がチャックプーリー４３（図示省略）から離間する。これにより、チャックプーリー４３がフリーとなり、当該チャックプーリー４３と、上昇されたターンテーブル５２１とにより、ディスクＤ２がチャッキングされる。
なお、ディスクＤ２のチャッキングが完了し、押圧部８３０によるスイッチ６２３（図３０）の押圧が解除されると、制御基板６２から停止信号が出力され、これにより、モーター７１の駆動が停止される。
以上により、ディスクＤ２の搬入が完了する。
【０１３１】
なお、ディスクＤ１，Ｄ２を搬出する際には、前述の動作方向とは反対方向に各部材が動作することにより、当該各ディスクＤ１，Ｄ２は挿抜口２Ａから搬出される。この際、制御基板６２は、スイッチ６２２がオフ状態となったとき、すなわち、押圧部６１３によるスイッチ６２２の押圧が解除された際に、モーター７１に停止信号を出力するので、各ディスクＤ１，Ｄ２が、把持部材３１２，３２２又は把持部材３１３，３２３に把持された状態で、搬出動作は停止される。これにより、挿抜口２ＡからディスクＤ１，Ｄ２が転落することが防止される。
【０１３２】
以上説明した本実施形態に係るディスク装置１によれば、以下の効果がある。
（１）傾斜部８３９２は、第２スライドカム８２の回動方向、及び、当該第２スライドカム８２の回動軸に沿う方向（Ｙ方向）のそれぞれに対して傾斜している。そして、突起部５６１１は、ガイド溝８３９に挿入され、第２スライドカム８２が回動すると、ホルダー５６における基部５６１側の端部が、当該第２スライドカム８２の回動軸に沿って移動される。これによれば、第２スライドカム８２に対してホルダー５６を相対的に移動させることができるので、下部フレーム２２Ａに沿って互いに逆方向にスライドする部材を光学装置５の両側に設ける必要がない。従って、回転装置５２をディスクに対して近接及び離間させる方向に移動させる構成を簡略化することができ、ひいては、ディスク装置１の構成を簡略化することができる。
【０１３３】
（２）ホルダー５６は、軸部５６２１，５６３１を中心として回動自在に下部フレーム２２Ａに軸支されるので、第２スライドカム８２の回動軸を中心とする当該ホルダー５６の回動を規制することができる。また、このホルダー５６における基部５６１側の端部は、第２スライドカム８２が下部フレーム２２Ａに沿って回動することで、当該第２スライドカム８２の回動軸に沿って移動する。これによれば、光学装置５の全体を囲む形状に第２スライドカム８２を形成することなく、当該基部５６１側の端部を移動させることができる。従って、第２スライドカム８２の小型化を図ることができ、ひいては、ディスク装置１の小型化を図ることができる。
【０１３４】
（３）第２スライドカム８２を、回転装置５２を挟んで挿抜口２Ａとは反対側に位置させる場合には、ディスクの直径方向に沿って移動するピックアップ５５の更に外側に配置する必要があるため、ディスクの搬入方向（Ｚ方向）の下部フレーム２２Ａの寸法が大きくなり、ディスク装置１の大型化を招く。
これに対し、第２スライドカム８２を挿抜口２Ａと回転装置５２との間に設けたことにより、下部フレーム２２Ａ内のスペースを有効に活用することができる。従って、下部フレーム２２Ａ、ひいては、ディスク装置１の小型化を図ることができる。
【０１３５】
（４）第２スライドカム８２の回動に伴って、ロックレバー２２８により挿抜口２Ａが閉塞されるので、当該挿抜口２Ａに他のディスクが挿入されることを防ぐことができる。従って、既に搬入されたディスクを挟持するチャックプーリー４３及び回転装置５２に、他のディスクが係合することを防止できる。
【０１３６】
（５）搬送装置３により搬入位置にディスクが搬入されると、第１スライドカム８１及び第２スライドカム８２の回動が開始されるので、迅速に光学装置５を上昇させることができる。従って、ディスクの回転、及び、当該ディスクに対する情報の読取／記録動作を迅速に行うことができる。
【０１３７】
（６）ディスクが搬入位置（チャッキング位置）に搬入されると、第１スライドカム８１は、検知レバー３５の押圧部３５１により押圧されてＳ１方向に摺動し、ラック部８１７がギア７４と噛合する。そして、当該ギア７４の回転により、第１スライドカム８１は更にＳ１方向に摺動して、突起部８１９が第２スライドカム８２をＳ１方向に回動させる。これによれば、ギア７４の回転力、すなわち、モーター７１により生じた駆動力により、第１スライドカム８１及び第２スライドカム８２を回動させることができるので、当該第２スライドカム８２の回動及び光学装置５の昇降に要する駆動力を確保できる。
また、搬送装置３が、第２スライドカム８２より小さな第１スライドカム８１を摺動させることにより、搬送装置３が昇降装置８に作用させる力、すなわち、光学装置５の上昇開始時の契機となる力を低減できる。
従って、第２スライドカム８２の回動、及び、光学装置５の昇降を確実に行うことができる。
【０１３８】
（７）検知レバー３５は、搬入位置近傍に搬入されたディスクの端縁に当接することで回動し、第１スライドカム８１を押圧してＳ１方向に摺動させる。これによれば、ディスクを搬入位置に搬入し終える際に、第１スライドカム８１及び第２スライドカム８２を確実に回動させることができる。従って、ディスクの搬入と、光学装置５の移動とを確実に同期させることができる。
【０１３９】
（８）挿抜口２Ａに挿入されたディスクは、フロントアーム３１の把持部材３１２，３１３及びフロントアーム３２の把持部材３２２，３２３により把持され、当該把持部材３１２，３１３の回転とともに、各フロントアーム３１，３２が回動することで搬入される。これによれば、一対のフロントアーム３１，３２により挟持された状態でディスクが搬入されるので、当該ディスクをセンタリングしつつ、装置本体２内に搬入できる。
また、当該把持部材３１２，３１３は、モーター７１により発生し、かつ、各ギア７２〜７６により伝達される駆動力により回転する。これによれば、１つのモーター７１で生じる駆動力により、各スライドカム８１，８２の回動及び搬送装置３によるディスクの搬送をそれぞれ行うことができる。従って、光学装置５を昇降させる駆動力、及び、ディスクの搬送に要する駆動力を発生する駆動手段をそれぞれ別途設ける場合に比べ、ディスク装置１の構成を簡略化することができる。
【０１４０】
（９）第２スライドカム８２の回動時に、当該第２スライドカム８２と係合するスイングアーム７７が回動して、ギア７５がギア７４から離間する。これによれば、ディスクが搬入位置に搬入された際に開始される第２スライドカム８２の回動に応じて、把持部材３１２，３１３の回転が停止されるので、第２スライドカム８２の回動に必要な駆動力を確実に確保することができる。従って、当該第２スライドカム８２を確実に回動させることができ、ひいては、光学装置５を確実に移動させることができる。
【０１４１】
（１０）第２スライドカム８２の回動に伴って、搬入されたディスクから各フロントアーム３１，３２が離間する。これによれば、回転装置５２によりディスクが回転する際に、各フロントアーム３１，３２（特に、把持部材３１３，３２３）が当該ディスクの回転を妨げることを防止できる。従って、ディスクを適切かつ確実に回転させることができる。
【０１４２】
（１１）第２スライドカム８２が回動していない状態、すなわち、ディスクが搬入されていない状態では、チャックプーリー４３はチャックアーム４１，４２により支持されているので、ディスクの搬入が当該チャックプーリー４３により妨げられることを防止できる。また、第２スライドカム８２が回動する際には、チャックアーム４１，４２がチャックプーリー４３から離間するので、当該チャックプーリー４３とターンテーブル５２１とにより、ディスクを確実に挟持（チャッキング）することができる。従って、第２スライドカム８２が回動され、ディスクが搬入位置に搬入された際に、当該チャックプーリー４３及びターンテーブル５２１によるディスクの挟持を確実に行うことができる。
【０１４３】
〔２．第２実施形態〕
以下、本発明の第２実施形態に係るディスク装置について説明する。
本実施形態のディスク装置は、前述のディスク装置１と同様の構成を備えるが、一方のチャックアームが、第１ディスクＤ１の搬入完了時に当該第１ディスクＤ１に近接する方向へのフロントアーム及びリンクアームの回動を規制する規制部を備える点で、ディスク装置１と相違する。なお、以下の説明では、既に説明した部分と同一または略同一である部分については、同一の符号を付して説明を省略する。
【０１４４】
図３４は、本実施形態に係るディスク装置１Ａが備えるリンクアーム３４Ａ及びチャックアーム４２Ａを示す図である。
本実施形態に係るディスク装置１Ａは、リンクアーム３４及びチャックアーム４２に代えて、リンクアーム３４Ａ及びチャックアーム４２Ａを備えるほかは、前述のディスク装置１と同様の構成を備える。
【０１４５】
リンクアーム３４Ａは、図３４に示すように、回動規制部３４８を更に有するほかは、前述のリンクアーム３４と同様の構成及び機能を有する。この回動規制部３４８は、大径の第１ディスクＤ１を搬入した際に、チャックアーム４２Ａと係合して、リンクアーム３４Ａの回動を規制し、ひいては、フロントアーム３１，３２がディスクＤ１から離れた状態のまま、各アーム３１〜３３，３４Ａを係止して維持する。なお、当該回動規制部３４８は、本実施形態では、規制部３４３近傍で、チャックアーム４２Ａに近い位置に、上面部２１Ｕ（図示省略）に近接する方向に突出する突起として形成されている。
【０１４６】
チャックアーム４２Ａは、規制部４２６を更に有するほかは、前述のチャックアーム４２と同様の構成及び機能を有する。この規制部４２６は、突出部４２４が形成された端部からリンクアーム３３，３４の回動軸ＲＡ３，ＲＡ４に向かって突出するように鉤状に形成されている。この規制部４２６の先端部には、当該端部に向かうに従ってチャックアーム４２Ａの回動軸ＲＡ６から遠ざかる方向に傾斜した傾斜部４２６１を有する。この傾斜部４２６１は、ディスクＤ１の搬入完了時に、前述の回動規制部３４８を押し上げる。
【０１４７】
図３５は、ディスクＤ１搬入完了時の搬送装置３及びチャック装置４を示す図である。
具体的に、ディスクＤ１の搬入が完了し、第２スライドカム８２が回動すると、前述のように、チャックアーム４１，４２Ａが、チャックプーリー４３から離間する方向に回動する。これにより、図３５に示すように、傾斜部４２６１が、回動規制部３４８に当接し、チャックアーム４２Ａの回動に伴って当該回動規制部３４８を押し上げる。そして、更に第２スライドカム８２が回動すると、ディスクＤ１から離間する方向にフロントアーム３１，３２が回動するとともに、溝部３３２，３４２が形成された各端部３３Ｅ，３４Ｅが離間する方向にリンクアーム３３，３４Ａが回動する。
【０１４８】
この状態では、捻りコイルばね３１８，３２４の付勢力により、各端部３３Ｅ，３４Ｅが互いに近接する方向にリンクアーム３３，３４Ａが回動しようとしても、回動規制部３４８の移動範囲内に規制部４２６が位置しているため、当該リンクアーム３３，３４Ａの回動がまず規制され、結果として、ディスクＤ１に近接する方向へのフロントアーム３１，３２の回動が規制される。これにより、各アーム３１〜３４Ａの回動量が大きくなって、当該各アーム３１〜３４Ａに捻りコイルばね３１８，３２４の付勢力が強く作用する第１ディスクＤ１の搬入完了時に、当該第１ディスクＤ１から、把持部材３１３，３２３及び規制部３３３，３４３を確実に離間させることができる。
【０１４９】
以上説明した本実施形態に係るディスク装置１Ａによれば、前述のディスク装置１と同様の効果を奏することができる。
なお、第２ディスクＤ２の搬入完了時では、各アーム３１〜３４Ａに付勢力が強く作用しないほか、各アームをディスクＤ２から退避させるスペースを確保できるので、当該ディスクＤ２から、把持部材３１３，３２３及び規制部３３３，３４３を確実に離間させることができる。
【０１５０】
更に、チャックアーム４２Ａの回動時に、規制部４２３から規制部４２６に向かうチャックアーム４２Ａの内径側の端縁が回動規制部３４８を押し上げるので、各アーム３１〜３４ＡをディスクＤ２から離間する方向に回動させることができ、当該ディスクＤ２から把持部材３１３，３２３及び規制部３３３，３４３を確実に離間させることができる。従って、搬入されたディスクＤ１，Ｄ２に対して各フロントアーム３１，３２が干渉することを防止することができ、ターンテーブル５２１による当該ディスクＤ１，Ｄ２の回転が妨げられることを防ぐことができる。
なお、このような回動規制部３４８は、リンクアーム３３に設けてもよく、各リンクアームにそれぞれ設けてもよい。
【０１５１】
〔３．実施形態の変形〕
本発明は前述の実施形態に限定されるものではなく、本発明の目的を達成できる範囲での変形、改良等は本発明に含まれるものである。
前記各実施形態では、第２スライドカム８２の回動に応じて、光学装置５全体が第２スライドカム８２の回動軸（Ｙ方向）に沿って移動（昇降）されるとしたが、本発明はこれに限らない。すなわち、当該第２スライドカム８２を有する昇降装置８により移動される対象は、回転装置５２だけでもよく、また、ピックアップ５５だけでもよい。
【０１５２】
前記各実施形態では、第２スライドカム８２は、ホルダー５６の基部５６１と、延出部５６２，５６３における挿抜口２Ａに近接する略３／４の領域とを覆う略半円形状に形成されるとしたが、本発明はこれに限らない。すなわち、第２スライドカム８２は、略円弧状に形成された部分を有していればよく、例えば、光学装置５の全周を囲む略円形状であってよく、或いは、基部５６１のみに応じた略円弧状であってもよい。なお、第２スライドカムが、光学装置５の全周を囲む略円形状を有し、また、ガイド部２２７等により、第２スライドカムと同方向への光学装置５の回動が規制されていれば、光学装置５全体をＹ方向に沿って移動させることができる。
【０１５３】
前記各実施形態では、第２スライドカム８２がガイド溝８３９を有し、ホルダー５６が当該ガイド溝８３９に挿入される突起部５６１１を有するとしたが、本発明はこれに限らない。すなわち、ホルダーがガイド溝を有し、第２スライドカムが当該ガイド溝に挿入される突起部を有する構成としてもよい。また、ホルダー５６は、２つの突起部５６１１を有するとしたが、本発明はこれに限らず、１つでも３つ以上でもよい。
【０１５４】
前記各実施形態では、第２スライドカム８２は、挿抜口２Ａと回転装置５２との間に設けられるとしたが、本発明はこれに限らない。すなわち、回転装置５２を挟んで挿抜口２Ａとは反対側に、第２スライドカム８２を配置してもよい。また、光学装置５は、ピックアップ５５の移動方向が、ディスクの搬入方向（Ｚ方向）に沿うように配置されるとしたが、本発明はこれに限らず、当該移動方向がディスクの搬入方向に対して傾斜するように、光学装置５が配置される構成としてもよい。
【０１５５】
前記各実施形態では、ディスクがチャッキング位置に搬入され、第２スライドカム８２が回動されると、ロックレバー２２８により挿抜口２Ａが閉塞されるとしたが、本発明はこれに限らない。すなわち、このようなロックレバー２２８は無くてもよく、また、他の構成により挿抜口２Ａを閉塞するようにしてもよい。
【０１５６】
前記各実施形態では、検知レバー３５により、第１スライドカム８１は第２スライドカム８２に沿って摺動し、ラック部８１７がギア７４と噛合するとしたが、本発明はこれに限らない。すなわち、搬送装置３を構成する他の構成（フロントアーム３１，３２及びリンクアーム３３，３４）により、第１スライドカム８１が摺動する構成としてもよい。また、第１スライドカム８１を設けずに、搬送装置３が、第２スライドカムを直接摺動させる構成としてもよい。この場合、第２スライドカムがギア７４と噛合するラック部を有していればよい。更に、第２スライドカムがラック部を有し、第１スライドカムが第２スライドカム８２をＳ１方向に摺動させると、ラック部がギア７４に噛合して、当該第２スライドカムが更にＳ１方向に回動する構成としてもよい。
【０１５７】
前記各実施形態では、ディスクを搬送する搬送装置３は、一対のフロントアーム３１，３２及びリンクアーム３３，３４を備えるとしたが、本発明はこれに限らない。すなわち、ディスクを搬送する構成は、他の構成でもよい。例えば、搬送装置３に代えて、装置本体２からディスクが載置されるトレイが突没する構成としてもよい。この場合、トレイの没入に応じて、第２スライドカムが回動するように構成すればよい。
【０１５８】
前記各実施形態では、フロントアーム３１は、ディスクを把持して回転し、当該ディスクを搬送する略円筒状の把持部材３１２，３１３を備え、フロントアーム３２は、当該ローラー３１２，３１３と略同形状を有し、かつ、ディスクを把持する把持部材を有し、当該把持部材は固定されているとしたが、本発明はこれに限らない。すなわち、各アーム３１，３２が、ディスクを把持し、かつ、それぞれ回転するローラーを把持部材として備える構成としてもよい。この場合、アーム３１のローラーと、アーム３２のローラーとは互いに逆方向に回転する構成が望ましい。また、フロントアーム３２が把持部材として回転するローラーを備え、フロントアーム３１が固定された把持部材を備える構成としてもよく、更に、これら把持部材及びローラーの数、位置及び形状は、適宜設定してよい。
【０１５９】
前記各実施形態では、スイングアーム７７は、第２スライドカム８２のガイド溝８２４に係合して、当該第２スライドカム８２の回動に応じて、ギア７４からギア７５を離間させるとしたが、本発明はこれに限らない。すなわち、このようなスイングアーム７７は無くてもよく、第２スライドカム８２の回動が停止されるまで、各把持部材３１２，３１３は回転し続けてもよい。
【０１６０】
前記各実施形態では、第２スライドカム８２は、Ｓ１方向に回動する際に、フロントアーム３１，３２をディスクの端縁から離間する方向に回動させ、また、チャックアーム４１，４２，４２Ａをチャックプーリー４３から離間する方向に回動させるとしたが、本発明はこれに限らない。すなわち、第２スライドカム８２とは異なる他の部材が、これらを回動させる構成としてもよい。
【０１６１】
前記実施形態では、ディスク装置１は、搬入されたディスクＤ１，Ｄ２に対して情報の読取及び記録を行うとしたが、本発明はこれに限らず、いずれか一方でもよい。また、第１ディスクＤ１は直径１２ｃｍを有し、第２ディスクＤ２は直径８ｃｍを有するとしたが、本発明はこれに限らず、第１ディスクに対して第２ディスクの直径が小さければ、各ディスクの直径は適宜設定してよい。更に、ディスク装置１は、第１ディスクＤ１及び第２ディスクＤ２を搬送可能に構成したが、第１ディスクＤ１及び第２ディスクＤ２のいずれかのみ搬送可能に構成されていてもよい。
【産業上の利用可能性】
【０１６２】
本発明は、ディスク装置に利用できる。
【符号の説明】
【０１６３】
１，１Ａ…ディスク装置、３…搬送装置（搬入手段）、８…昇降装置（移動手段）、２４…筐体、２Ａ…挿抜口、３１，３２…フロントアーム（第１アーム）、３５…検知レバー（第１レバー）、４１，４２，４２Ａ…チャックアーム（第３アーム）、４３…チャックプーリー（挟持部材）、５１…支持部材（保持部材）、５２…回転装置（回転手段）、５５…ピックアップ（情報読取／記録手段）、５６…ホルダー（保持部材）、７１…モーター、７２…ウォームギア（伝達手段）、７３…ウォームホイール（伝達手段）、７４…ギア（第１ギア、伝達手段）、７５…ギア（第２ギア、伝達手段）、７６…ギアシャフト（伝達手段）、７７…スイングアーム（第２アーム、伝達手段）、８１…第１スライドカム（第２カム部材）、８２…第２スライドカム（第１カム部材）、２２８…ロックレバー（閉塞部材）、３１２，３１３…把持部材（ローラー）、３２２，３２３…把持部材、３５１…押圧部、５６１…基部、５６２，５６３…延出部、８１７…ラック部（噛合部）、８１９…突起部（当接部）、８２１，８３５…ガイド部（第３係合部）、８３１，８３２…ガイド部（第２係合部）、８３９…ガイド溝（溝部）、５６１１…突起部（第１係合部）、５６２１，５６３１…軸部、Ｄ１…第１ディスク（ディスク）、Ｄ２…第２ディスク（ディスク）、Ｌ…仮想の直線。
【図１】
2010267316.tif 000003
【図２】
2010267316.tif 000004
【図３】
2010267316.tif 000005
【図４】
2010267316.tif 000006
【図５】
2010267316.tif 000007
【図６】
2010267316.tif 000008
【図７】
2010267316.tif 000009
【図８】
2010267316.tif 000010
【図９】
2010267316.tif 000011
【図１０】
2010267316.tif 000012
【図１１】
2010267316.tif 000013
【図１２】
2010267316.tif 000014
【図１３】
2010267316.tif 000015
【図１４】
2010267316.tif 000016
【図１５】
2010267316.tif 000017
【図１６】
2010267316.tif 000018
【図１７】
2010267316.tif 000019
【図１８】
2010267316.tif 000020
【図１９】
2010267316.tif 000021
【図２０】
2010267316.tif 000022
【図２１】
2010267316.tif 000023
【図２２】
2010267316.tif 000024
【図２３】
2010267316.tif 000025
【図２４】
2010267316.tif 000026
【図２５】
2010267316.tif 000027
【図２６】
2010267316.tif 000028
【図２７】
2010267316.tif 000029
【図２８】
2010267316.tif 000030
【図２９】
2010267316.tif 000031
【図３０】
2010267316.tif 000032
【図３１】
2010267316.tif 000033
【図３２】
2010267316.tif 000034
【図３３】
2010267316.tif 000035
【図３４】
2010267316.tif 000036
【図３５】
2010267316.tif 000037